(57)【要約】【課題】層間迷光による影響を受けることなくトラッキング制御に用いる受光信号を生成できるようにする。【解決手段】光ディスク装置１は、ロションプリズム１７によりＰ偏光成分を反射光ビームＬＲＰとしてほぼ直進させると共に、Ｓ偏光成分を反射光ビームＬＲＳとして下方向へ大きく屈折させ、偏光ホログラム素子１８により反射光ビームＬＲＰを透過させると共に、反射光ビームＬＲＳを領域１８Ａ〜１８Ｅごとに回折させ反射光ビームＬＲＳＡ〜ＬＲＳＥとし、光検出器２１において、反射光ビームＬＲＰを検出する検出部Ｄ１から大きく離隔した検出部Ｄ２により、迷光パターンＷ１を回避しながら反射光ビームＬＲＳＡ〜ＬＲＳＤを受光して受光信号Ｓ２Ａ〜Ｓ２Ｄを生成することができるので、迷光パターンＷ１の影響を受けることなくトラッキングエラー信号ＳＴＥ１を生成でき、精度良くトラッキング制御を行うことができる。【選択図】図６
2010027098.tif 000002
【特許請求の範囲】
【請求項１】
光ビームを出射する光源と、
光ディスクに複数設けられた記録層のうち対象とする対象記録層に上記光ビームを集光する対物レンズと、
上記対物レンズを、上記対象記録層に螺旋状又は同心円状に形成されたトラック溝とほぼ直交するトラッキング方向へ移動させるレンズ移動部と、
上記光ビームが上記光ディスクにより反射されてなる反射光ビームの一部を回折させ反射回折光ビームとし、当該反射光ビームの残りを直進させ反射直進光ビームとすると共に、上記反射回折光ビームのうち上記光ディスクの上記トラック溝により回折された＋１次光が含まれる部分に対応する第１領域により当該反射光ビームにおける所定の第１偏光方向成分を所定の第１方向へ回折させて第１ビームとし、上記反射回折光ビームのうち上記トラック溝により回折された−１次光が含まれる部分に対応する第２領域により当該反射回折光ビームにおける上記第１偏光方向成分を上記第１方向へ回折させて第２ビームとし、上記反射回折光ビームのうち上記トラック溝により回折された＋１次光及び−１次光が含まれず上記光ディスクの内周側に相当する部分に対応する第３領域により当該反射回折光ビームを所定の第２方向へ回折させて第３ビームとし、上記反射回折光ビームのうち上記トラック溝により回折された＋１次光及び−１次光が含まれず上記光ディスクの外周側に相当する部分に対応する第４領域により当該反射回折光ビームを上記第２方向へ回折させて第４ビームとする回折部と、
上記回折部に入射される前の上記反射光ビーム又は上記回折部から出射された上記反射回折光ビームのうち上記第１偏光方向成分を上記第１方向へ屈折させる偏光屈折部と、
上記反射光ビームを集光する集光レンズと、
上記反射直進光ビームの照射位置に設けられた直進光受光領域により当該反射直進光ビームを受光して受光信号を生成し、当該直進光受光領域の上記第１方向側にそれぞれ設けられた第１受光領域及び第２受光領域により、上記第１ビーム及び上記第２ビームをそれぞれ受光して受光信号を生成すると共に、上記直進光受光領域の上記第２方向側にそれぞれ設けられた第３受光領域及び第４受光領域により、上記第３ビーム及び上記第４ビームをそれぞれ受光して受光信号を生成する光検出器と
を有し、
所定の信号処理部により、上記第１受光領域、上記第２受光領域、上記第３受光領域及び上記第４受光領域によりそれぞれ生成された受光信号を基に、上記トラッキング方向に関する上記光ビームの焦点と上記トラック溝の中心線とのずれ量を表すトラッキングエラー信号を生成させ、
所定の駆動制御部により、上記トラッキングエラー信号を基に上記レンズ移動部を介して上記対物レンズを上記トラッキング方向へ駆動させる
光ピックアップ。
【請求項２】
上記回折部は、
上記反射光ビームのうち上記第１偏光方向成分を回折させて上記反射回折光ビームとし、上記反射光ビームのうち上記第１偏光方向成分と相違する第２偏光方向成分を直進させて上記反射直進光ビームとする
請求項１に記載の光ピックアップ。
【請求項３】
上記反射光ビームが上記回折部及び上記偏光屈折部へ入射される前に上記反射光ビームの偏光方向を調整する偏光方向調整部
をさらに有する請求項２に記載の光ピックアップ。
【請求項４】
上記偏光方向調整部は、
上記反射光ビームのうち、上記光ディスクの上記トラック溝により回折された＋１次光及び上記−１次光が含まれる部分のほぼ全てを上記第１偏光方向成分とすると共に、それ以外の部分を当該第１偏光方向と相違する第２偏光方向成分とし、
上記回折部は、
上記反射光ビームのうち第２偏光方向成分の一部を直進させて上記反射直進光ビームとすると共に、上記反射光ビームのうち上記第２偏光方向成分の一部を上記第２方向へ回折させることにより上記第３ビーム及び上記第４ビームとし、
上記光検出器は、
上記直進光受光領域により、上記反射光ビームにおける上記光ディスクの上記トラック溝により回折された＋１次光及び−１次光に相当する部分が欠落した上記直進光ビームを受光する
請求項３に記載の光ピックアップ。
【請求項５】
上記第１方向は、
上記反射光ビームの像における上記トラックの走行方向に沿った方向である
請求項４に記載の光ピックアップ。
【請求項６】
上記第２方向は、
上記反射光ビームの像における上記トラックの走行方向とほぼ直交する方向である
請求項５に記載の光ピックアップ。
【請求項７】
上記回折部は、
上記反射光ビームを上記回折させた際に生じる１次光を上記反射回折光ビームとし、０次光を上記反射直進光ビームとする
請求項１に記載の光ピックアップ。
【請求項８】
上記回折部は、上記反射直進光ビームの光量を上記反射回折光ビームよりも高め、
上記信号処理部により、上記直進光受光領域における受光結果を基に、上記光ディスクの上記記録層に記録された情報を再生させる
請求項１に記載の光ピックアップ。
【請求項９】
上記回折部は、
上記反射光ビームのうち上記第１偏光方向成分を上記第３ビーム及び上記第４ビームとして上記第１方向とほぼ同じ方向でなる上記第２方向へそれぞれ回折させ、
上記光検出器は、
上記直進光受光領域の上記第１方向とほぼ同じ方向である上記第２方向側にそれぞれ設けられた第３受光領域及び第４受光領域により、上記第３ビーム及び上記第４ビームをそれぞれ受光して受光信号を生成する
請求項１に記載の光ピックアップ。
【請求項１０】
上記反射直進光ビームをさらに回折させることにより、０次光でなり直進する反射第２直進光ビームと、±１次光でなり上記第１方向とほぼ直交する第２方向及びその反対方向へ進行する２本の反射第２回折光ビームとに分離する第２回折部
をさらに設け、
上記光検出器は、
上記直進光受光領域の上記第２方向側及びその反対側にそれぞれ設けられた第５受光領域及び第６受光領域により、２本の上記反射第２回折光ビームをそれぞれ受光し、
上記信号処理部により、
上記第５受光領域及び上記第６受光領域における受光結果を基に上記光ディスクの上記記録層に記録された情報を再生させる
請求項１に記載の光ピックアップ。
【請求項１１】
上記偏光屈折部は、
上記第１偏光方向成分の光ビームを屈折させる際、他の偏光方向成分をほぼ直進させるロションプリズムでなる
請求項１に記載の光ピックアップ。
【請求項１２】
上記偏光屈折部は、
上記第１偏光方向成分の光ビームを屈折させる際、他の偏光方向成分を当該第１偏光方向成分と異なる方向へ屈折させるウォラストンプリズムでなる
請求項１に記載の光ピックアップ。
【請求項１３】
上記回折部は、
上記第１領域、上記第２領域、上記第３領域及び上記第４領域を除いた中央部分でなる第５領域により、上記反射１次光ビームの一部を上記第１方向及び上記第２方向のいずれとも相違する第３方向へ回折させて第５ビームとし、
上記光検出部は、
上記直進光受光領域の上記第３方向側に設けられた第７受光領域により、上記第５ビームを受光して受光信号を生成し、
上記受光部は、
上記反射直進光ビーム及び上記第５ビームの受光結果を基に取付角度が調整される
請求項１に記載の光ピックアップ。
【請求項１４】
光ビームを出射する光源と、
光ディスクに複数設けられた記録層のうち対象とする対象記録層に上記光ビームを集光する対物レンズと、
上記対物レンズを、上記対象記録層に螺旋状又は同心円状に形成されたトラック溝とほぼ直交するトラッキング方向へ移動させるレンズ移動部と、
上記光ビームが上記光ディスクにより反射されてなる反射光ビームの一部を回折させ反射回折光ビームとし、当該反射光ビームの残りを直進させ反射直進光ビームとすると共に、上記反射回折光ビームのうち上記光ディスクの上記トラック溝により回折された＋１次光が含まれる部分に対応する第１領域により当該反射光ビームにおける所定の第１偏光方向成分を所定の第１方向へ回折させて第１ビームとし、上記反射回折光ビームのうち上記トラック溝により回折された−１次光が含まれる部分に対応する第２領域により当該反射回折光ビームにおける上記第１偏光方向成分を上記第１方向へ回折させて第２ビームとし、上記反射回折光ビームのうち上記トラック溝により回折された＋１次光及び−１次光が含まれず上記光ディスクの内周側に相当する部分に対応する第３領域により当該反射回折光ビームを所定の第２方向へ回折させて第３ビームとし、上記反射回折光ビームのうち上記トラック溝により回折された＋１次光及び−１次光が含まれず上記光ディスクの外周側に相当する部分に対応する第４領域により当該反射回折光ビームを上記第２方向へ回折させて第４ビームとする回折部と、
上記回折部に入射される前の上記反射光ビーム又は上記回折部から出射された上記反射回折光ビームのうち上記第１偏光方向成分を上記第１方向へ屈折させる偏光屈折部と、
上記反射光ビームを集光する集光レンズと、
上記反射直進光ビームの照射位置に設けられた直進光受光領域により当該反射直進光ビームを受光して受光信号を生成し、当該直進光受光領域の上記第１方向側にそれぞれ設けられた第１受光領域及び第２受光領域により、上記第１ビーム及び上記第２ビームをそれぞれ受光して受光信号を生成すると共に、上記直進光受光領域の上記第２方向側にそれぞれ設けられた第３受光領域及び第４受光領域により、上記第３ビーム及び上記第４ビームをそれぞれ受光して受光信号を生成する光検出器と、
上記第１受光領域、上記第２受光領域、上記第３受光領域及び上記第４受光領域によりそれぞれ生成された受光信号を基に、上記トラッキング方向に関する上記光ビームの焦点と上記トラック溝の中心線とのずれ量を表すトラッキングエラー信号を生成する信号処理部と、
上記トラッキングエラー信号を基に上記レンズ移動部を介して上記対物レンズを上記トラッキング方向へ駆動させる駆動制御部と
を有する光ディスク装置。
【発明の詳細な説明】
【技術分野】
【０００１】
本発明は光ピックアップ及び光ディスク装置に関し、例えば複数の記録層を有する光ディスクに対応する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等のように、光ディスクに対して光ビームを照射し、その反射光を読み取ることにより情報を再生するようになされたものが広く普及している。
【０００３】
この光ディスクには、記録すべき情報が符号化されると共に変調された上で、螺旋状又は同心円状に形成されたトラックにピット等として記録されるようになされている。
【０００４】
そこで光ディスク装置では、対物レンズにより光ビームを集光し、光ディスクから情報を再生する際、光ディスクの記録層に螺旋状又は同心円状に形成されているトラックに対し、当該光ビームの焦点を合わせるようになされている。
【０００５】
このとき光ディスク装置は、光ビームが記録層により反射されてなる反射光ビームを光検出器により受光する。そして光ディスク装置は、その受光結果を基に、光ビームを照射すべきトラック（以下これを目標トラックと呼ぶ）と光ビームの焦点との、フォーカス方向及びトラッキング方向に関するずれ量を表すフォーカスエラー信号及びトラッキングエラー信号をそれぞれ算出する。
【０００６】
続いて光ディスク装置は、フォーカスエラー信号を基に対物レンズをフォーカス方向へ移動すると共に、トラッキングエラー信号を基に当該対物レンズをトラッキング方向へ移動することにより、光ビームの焦点を目標トラックに合わせるようになされている。
【０００７】
かかるトラッキングエラー信号の算出手法としては、プッシュプル法や３ビーム法等の種々の手法が知られており、さらには１ビームプッシュプル法と呼ばれる手法も提案されている（例えば、特許文献１参照）。
【０００８】
この１ビームプッシュプル法では、反射光ビームにおける領域ごとの光量を検出する必要がある。例えば特許文献１では、領域分割され当該領域ごとに回折方向が相違するホログラム素子により反射光ビームを回折させ、光検出器における複数の受光領域により領域ごとの反射光ビームをそれぞれ受光するようになされている。
【０００９】
また特許文献１では、ホログラム素子における回折方向及び回折角度と、光検出器における受光領域の配置パターンとを適切に設計することにより、光ディスクにおける所望の記録層と異なる他の記録層により光ビームが反射されてなる層間迷光を回避するようになされている。
【特許文献１】特開２００７−２１３７５４公報（第１５図）
【発明の開示】
【発明が解決しようとする課題】
【００１０】
ところで光ディスクについては、記録容量を増加させるために、例えば４層や６層の記録層を設けることが考えられる。この場合、所望の記録層と他の記録層との層間距離が拡大することになるため、層間迷光の照射範囲が拡大する可能性が高い。
【００１１】
このような場合、ホログラム素子の回折角度を拡大すると共に、光検出器における受光領域同士の間隔を広げることが考えられる。
【００１２】
しかしながらホログラム素子では、一般に、回折角度を拡大するには格子ピッチを縮小する必要があるものの、設計上及び製造上等の制約により限界がある。
【００１３】
すなわち光ディスク装置１では、ホログラム素子の制約により、反射光ビームを必ずしも所望の回折角度では回折させ得ず、当該制約に適合するよう配置した受光領域に層間迷光が照射されてしまうおそれがある。このような場合、光ディスク装置は、トラッキングエラー信号誤差を含むことになってしまい、トラッキング制御の精度を低下させてしまうおそれがあった。
【００１４】
本発明は以上の点を考慮してなされたもので、層間迷光による影響を受けることなくトラッキング制御に用いる受光信号を生成し得る光ピックアップ及び層間迷光による影響を受けることなくトラッキング制御を行い得る光ディスク装置を提案しようとするものである。
【課題を解決するための手段】
【００１５】
かかる課題を解決するため本発明の光ピックアップにおいては、光ビームを出射する光源と、光ディスクに複数設けられた記録層のうち対象とする対象記録層に光ビームを集光する対物レンズと、対物レンズを、対象記録層に螺旋状又は同心円状に形成されたトラック溝とほぼ直交するトラッキング方向へ移動させるレンズ移動部と、光ビームが光ディスクにより反射されてなる反射光ビームの一部を回折させ反射回折光ビームとし、当該反射光ビームの残りを直進させ反射直進光ビームとすると共に、反射回折光ビームのうち光ディスクのトラック溝により回折された＋１次光が含まれる部分に対応する第１領域により当該反射光ビームにおける所定の第１偏光方向成分を所定の第１方向へ回折させて第１ビームとし、反射回折光ビームのうちトラック溝により回折された−１次光が含まれる部分に対応する第２領域により当該反射回折光ビームにおける第１偏光方向成分を第１方向へ回折させて第２ビームとし、反射回折光ビームのうちトラック溝により回折された＋１次光及び−１次光が含まれず光ディスクの内周側に相当する部分に対応する第３領域により当該反射回折光ビームを所定の第２方向へ回折させて第３ビームとし、反射回折光ビームのうちトラック溝により回折された＋１次光及び−１次光が含まれず光ディスクの外周側に相当する部分に対応する第４領域により当該反射回折光ビームを第２方向へ回折させて第４ビームとする回折部と、回折部に入射される前の反射光ビーム又は回折部から出射された反射回折光ビームのうち第１偏光方向成分を第１方向へ屈折させる偏光屈折部と、反射光ビームを集光する集光レンズと、反射直進光ビームの照射位置に設けられた直進光受光領域により当該反射直進光ビームを受光して受光信号を生成し、当該直進光受光領域の第１方向側にそれぞれ設けられた第１受光領域及び第２受光領域により、第１ビーム及び第２ビームをそれぞれ受光して受光信号を生成すると共に、直進光受光領域の第２方向側にそれぞれ設けられた第３受光領域及び第４受光領域により、第３ビーム及び第４ビームをそれぞれ受光して受光信号を生成する光検出器とを設け、所定の信号処理部により、第１受光領域、第２受光領域、第３受光領域及び第４受光領域によりそれぞれ生成された受光信号を基に、トラッキング方向に関する光ビームの焦点とトラック溝の中心線とのずれ量を表すトラッキングエラー信号を生成させ、所定の駆動制御部により、トラッキングエラー信号を基にレンズ移動部を介して対物レンズをトラッキング方向へ駆動させるようにした。
【００１６】
これにより光ピックアップは、少なくとも第１ビーム及び第２ビームを反射直進光ビームから大きく引き離すことができるので、光ディスクにおける対象記録層以外の記録層により光ビームが反射されてなる層間迷光のうち、反射直進光ビームと同様に直進する層間迷光が少なくとも第１検出領域及び第２検出領域にかかることを防止できる。
【００１７】
また本発明の光ディスク装置においては、光ビームを出射する光源と、光ディスクに複数設けられた記録層のうち対象とする対象記録層に光ビームを集光する対物レンズと、対物レンズを、対象記録層に螺旋状又は同心円状に形成されたトラック溝とほぼ直交するトラッキング方向へ移動させるレンズ移動部と、光ビームが光ディスクにより反射されてなる反射光ビームの一部を回折させ反射回折光ビームとし、当該反射光ビームの残りを直進させ反射直進光ビームとすると共に、反射回折光ビームのうち光ディスクのトラック溝により回折された＋１次光が含まれる部分に対応する第１領域により当該反射光ビームにおける所定の第１偏光方向成分を所定の第１方向へ回折させて第１ビームとし、反射回折光ビームのうちトラック溝により回折された−１次光が含まれる部分に対応する第２領域により当該反射回折光ビームにおける第１偏光方向成分を第１方向へ回折させて第２ビームとし、反射回折光ビームのうちトラック溝により回折された＋１次光及び−１次光が含まれず光ディスクの内周側に相当する部分に対応する第３領域により当該反射回折光ビームを所定の第２方向へ回折させて第３ビームとし、反射回折光ビームのうちトラック溝により回折された＋１次光及び−１次光が含まれず光ディスクの外周側に相当する部分に対応する第４領域により当該反射回折光ビームを第２方向へ回折させて第４ビームとする回折部と、回折部に入射される前の反射光ビーム又は回折部から出射された反射回折光ビームのうち第１偏光方向成分を第１方向へ屈折させる偏光屈折部と、反射光ビームを集光する集光レンズと、反射直進光ビームの照射位置に当該反射直進光ビームを受光する直進光受光領域を有すると共に、当該直進光受光領域の第１方向側にそれぞれ設けられた第１受光領域及び第２受光領域により、第１ビーム及び第２ビームをそれぞれ受光して受光信号を生成すると共に、直進光受光領域の第２方向側にそれぞれ設けられた第３受光領域及び第４受光領域により、第３ビーム及び第４ビームをそれぞれ受光して受光信号を生成する光検出器と、第１受光領域、第２受光領域、第３受光領域及び第４受光領域によりそれぞれ生成された受光信号を基に、トラッキング方向に関する光ビームの焦点とトラック溝の中心線とのずれ量を表すトラッキングエラー信号を生成する信号処理部と、トラッキングエラー信号を基にレンズ移動部を介して対物レンズをトラッキング方向へ駆動させる駆動制御部とを設けるようにした。
【００１８】
これにより光ディスク装置は、少なくとも第１ビーム及び第２ビームを反射直進光ビームから大きく引き離すことができるので、光ディスクにおける対象記録層以外の記録層により光ビームが反射されてなる層間迷光のうち、反射直進光ビームと同様に直進する層間迷光が少なくとも第１検出領域及び第２検出領域にかかることを防止できる。
【発明の効果】
【００１９】
本発明によれば、少なくとも第１ビーム及び第２ビームを反射直進光ビームから大きく引き離すことができるので、光ディスクにおける対象記録層以外の記録層により光ビームが反射されてなる層間迷光のうち、反射直進光ビームと同様に直進する層間迷光が少なくとも第１検出領域及び第２検出領域にかかることを防止でき、かくして層間迷光による影響を受けることなくトラッキング制御に用いる受光信号を生成し得る光ピックアップ及び層間迷光による影響を受けることなくトラッキング制御を行い得る光ディスク装置を実現できる。
【発明を実施するための最良の形態】
【００２０】
以下、図面について、本発明の一実施の形態を詳述する。
【００２１】
（１）第１の実施の形態
（１−１）光ディスク装置の構成
図１に示すように、光ディスク装置１は、統括制御部２を中心に構成されており、光ディスク１００に対し情報を記録し、また当該光ディスク１００から情報を再生し得るようになされている。
【００２２】
光ディスク１００は、例えばＢＤ方式の規格に準拠しており、記録層Ｙ０〜Ｙ３の４層の記録層Ｙを有している。各記録層Ｙは、螺旋状又は同心円状のトラック溝が形成されており、当該トラック溝に沿って情報が記録されるようになされている。
【００２３】
統括制御部２は、図示しないＣＰＵ(Central Processing Unit)と、各種プログラム等が格納されるＲＯＭ(Read Only Memory)と、当該ＣＰＵのワークメモリとして用いられるＲＡＭ(Random Access Memory)とによって構成されている。
【００２４】
統括制御部２は、光ディスク１００から情報を再生する場合、駆動制御部３を介してスピンドルモータ５を回転駆動させ、ターンテーブル５Ｔに載置された光ディスク１００を所望の速度で回転させる。
【００２５】
また統括制御部２は、駆動制御部３を介してスレッドモータ６を駆動させることにより、光ピックアップ７を移動軸に沿ってトラッキング方向、すなわち光ディスク１００の内周側又は外周側へ向かう方向へ大きく移動させるようになされている。
【００２６】
光ピックアップ７は、対物レンズ８や２軸アクチュエータ９等の複数の部品が取り付けられており、統括制御部２の制御に基づいて光ディスク１００へ光ビームを照射するようになされている。
【００２７】
因みに統括制御部２は、光ディスク１００に光ビームを照射する場合、記録層Ｙのうち情報を読み出す対象とする記録層Ｙ、すなわち光ビームの焦点を合わせるべき記録層Ｙを対象記録層ＹＴ（図示せず）として選定するようになされている。
【００２８】
また光ピックアップ７は、光ビームが光ディスクにより反射されてなる反射光ビームを受光し、その受光結果に応じた受光信号を生成して信号処理部４へ供給するようになされている。
【００２９】
信号処理部４は、供給された受光信号を用いた所定の演算処理を行うことによりフォーカスエラー信号及びトラッキングエラー信号をそれぞれ生成し、これらを駆動制御部３へ供給する。
【００３０】
駆動制御部３は、供給されたフォーカスエラー信号及びトラッキングエラー信号を基に、対物レンズ８を駆動するための駆動信号を生成し、これを光ピックアップ７の２軸アクチュエータ９へ供給する。
【００３１】
光ピックアップ７の２軸アクチュエータ９は、この駆動信号に基づいて対物レンズ８のフォーカス制御及びトラッキング制御を行い、当該対物レンズ８により集光される光ビームの焦点位置を調整するようになされている（詳しくは後述する）。
【００３２】
また駆動制御部３は、統括制御部２から対象記録層ＹＴの通知を受け、当該対象記録層ＹＴに当該光ビームの焦点を合わせるようフォーカス制御を行うようになされている。
【００３３】
信号処理部４は、受光信号に対し所定の演算処理、復調処理及び復号化処理等を施すことにより、光ディスク１００に記録されている情報を再生し得るようになされている。
【００３４】
さらに統括制御部２は、光ディスク１００に情報を記録する場合、図示しない外部機器等から記録すべき情報を受け付け、これを信号処理部４へ供給する。信号処理部４は、当該情報に対し所定の符号化処理や変調処理等を施すことにより記録用信号を生成し、これを光ピックアップ７へ供給する。
【００３５】
光ピックアップ７は、光ビームを記録用の強度とすると共に記録用信号に応じて変調させることにより、記録用信号に応じた記録マークを形成していく。例えば光ディスク１００がＢＤ−ＲＥ（Blu-ray Disc-Rewritable）と同様の記録方式でなる場合、記録層を形成する材料を局所的に相変化させることにより当該記録マークを形成する。
【００３６】
このように光ディスク装置１は、光ディスク１００に対し光ピックアップ７から光ビームを照射させ、その反射光を基にフォーカス制御及びトラッキング制御を行いながら、情報の再生処理や記録処理を行い得るようになされている。
【００３７】
（１−２）光ピックアップの構成
光ピックアップ７は、図２に示すように、光ディスク１００に光ビームＬ１を照射し、当該光ディスク１００により当該光ビームＬ１が反射されてなる反射光ビームＬＲを受光するようになされている。
【００３８】
レーザダイオード１１は、制御部２の制御の基で、波長約４０５［ｎｍ］の青紫色レーザ光でなる光ビームＬ１を発散光として出射し得るようになされている。またレーザダイオード１１は、光ビームＬ１がＰ偏光となるようにその取付角度等が調整されている。
【００３９】
実際上統括制御部２は、レーザダイオード１１から光ビームＬ１を発射させ、コリメータレンズ１２へ入射させる。コリメータレンズ１２は、光ビームＬ１を発散光から平行光に変換し、偏光ビームスプリッタ１３へ入射させる。
【００４０】
偏光ビームスプリッタ１３は、光ビームの偏光方向に応じて透過率が相違する反射透過面１３Ｓを有しており、Ｐ偏光の光ビームをほぼ１００％の割合で透過すると共に、Ｓ偏光の光ビームをほぼ１００％の割合で反射するようになされている。
【００４１】
実際上偏光ビームスプリッタ１３は、反射透過面１３Ｓにより光ビームＬ１をほぼ１００％の割合で透過させ、球面収差補正部１４へ入射させる。
【００４２】
球面収差補正部１４は、凸レンズでなりその位置が固定された固定レンズ１４Ｆと、凹レンズでなり光ビームＬ１の光軸に沿った方向へ移動し得る可動レンズ１４Ｍとにより、いわゆるガリレオ式のビームエクスパンダとして構成されている。この可動レンズ１４Ｍは、統括制御部２及び駆動制御部３内に設けられた球面収差制御部（図示せず）からの制御に基づいて移動するようになされている。
【００４３】
実際上球面収差補正部１４は、可動レンズ１４Ｍにより光ビームＬ１を一度拡散し、続いて固定レンズ１４Ｆにより当該光ビームＬ１を集光する。
【００４４】
このとき球面収差補正部１４は、光ビームＬ１が集光され光ディスク１００の対象記録層ＹＴに到達した際に生じる球面収差と逆特性となるような球面収差を当該光ビームＬ１に予め与える。これにより球面収差補正部１４は、光ビームＬ１の対象記録層ＹＴへの到達時における球面収差を補正し得るようになされている。
【００４５】
１／４波長板１５は、光ビームを直線偏光と円偏光との間で相互変換し得るようになされており、例えばＰ偏光でなる光ビームＬ１を左円偏光に変換し、対物レンズ８へ入射させる。
【００４６】
対物レンズ８は、光ビームＬ１を集光する。ここで統括制御部２は、２軸アクチュエータ９により対物レンズ８のフォーカス方向に関する位置を調整している。このため対物レンズ８は、光ビームＬ１の焦点Ｆ１（図示せず）を光ディスク１００の対象記録層ＹＴにおおよそ合わせるよう照射する。
【００４７】
このとき光ビームＬ１は、対象記録層ＹＴで反射されることにより反射光ビームＬＲとなり、対物レンズ８へ入射される。また反射光ビームＬＲは、円偏光における回転方向が反射時に反転されるため、右円偏光となる。
【００４８】
この後反射光ビームＬＲは、対物レンズ８により発散光から平行光に変換され、１／４波長板１５により右円偏光からＳ偏光（直線偏光）へ変換され、さらに球面収差補正部１４へ入射される。
【００４９】
球面収差補正部１４は、反射光ビームＬＲが対象記録層ＹＴにより反射されてから対物レンズ８を通過するまでの間に生じた球面収差を補正し、当該反射光ビームＬＲを偏光ビームスプリッタ１３へ入射させる。
【００５０】
偏光ビームスプリッタ１３は、Ｓ偏光でなる反射光ビームＬＲを反射透過面１３Ｓにおいて反射し、１／２波長板１６へ入射させる。
【００５１】
図３に模式的に示すように、１／２波長板１６は、反射光ビームＬＲの偏光方向を所定角度回転させることにより、Ｓ偏光成分（紙面の手前又は奥へ向かう方向の成分）を所定の割合まで低下させると共にその残りをＰ偏光成分（図の上又は下へ向かう方向の成分）として、ロションプリズム１７へ入射させる。
【００５２】
ロションプリズム１７は、複屈折性結晶を用いたニコルプリズムと呼ばれる偏光子の一種であり、入射された光ビームのうち所定の偏光方向成分を屈折させると共に、他の偏光方向成分を透過して直進させるようになされている。
【００５３】
このときロションプリズム１７は、屈折作用により光ビームの進行方向を変化させるため、一般的なホログラム素子等による回折角度と比較して、屈折角度を大きくすることができる。
【００５４】
実際上ロションプリズム１７は、反射光ビームＬＲのＳ偏光成分を図の下方向へ大きく屈折させて反射光ビームＬＲＳとすると共に、Ｐ偏光成分をそのまま透過して反射光ビームＬＲＰとし、これらを偏光ホログラム素子１８へ入射させる。
【００５５】
偏光ホログラム素子１８は、光ビームのうち特定の偏光方向成分に対して回折作用を呈するようになされている。実際上偏光ホログラム素子１８は、Ｓ偏光成分でなる反射光ビームＬＲＳに対してのみ回折作用を呈し、Ｐ偏光成分でなる反射光ビームＬＲＰについては何ら作用せず透過させるようになされている。
【００５６】
また偏光ホログラム素子１８は、いわゆるブレーズドホログラムとなっており、反射光ビームＬＲＳのほぼ全てを回折させて１次光とし、これをコリメータレンズ１９へ入射させる。
【００５７】
ここで偏光ホログラム素子１８は、図４に示すように反射光ビームＬＲＳの通過部分が複数の領域１８Ａ〜１８Ｅに分割されており、各領域ごとに反射光ビームＬＲＳの回折方向が設定されている。
【００５８】
なお図４では、各領域が作用する偏光方向を実線の矢印により示し、反射光ビームＬＲＳの回折方向を白抜きの太矢印により示している。
【００５９】
領域１８Ａは、反射光ビームＬＲＳのうち、光ディスク１００のトラック溝により回折された＋１次回折光又は−１次回折光（以下これをトラック溝回折光と呼ぶ）を含み、且つ当該光ディスク１００の内周側部分に相当する部分を反射光ビームＬＲＳＡとする。このとき領域１８Ａは、反射光ビームＬＲＳＡをほぼトラックの走行方向に沿った方向（便宜上、以下この方向を縦方向と呼ぶ）のうち下方向へ回折させる。
【００６０】
領域１８Ｂは、反射光ビームＬＲＳのうち、トラック溝回折光を含み、且つ当該光ディスク１００の外周側部分に相当する部分を反射光ビームＬＲＳＢとする。このとき領域１８Ｂは、反射光ビームＬＲＳＢをほぼ下方向へ、反射光ビームＬＲＳＡとほぼ同等の回折角度で回折させる。
【００６１】
このように偏光ホログラム素子１８は、反射光ビームＬＲＳのうち、プッシュプル成分（すなわち光ビームＬ１の焦点Ｆ１が所望のトラックに対し内周側又は外周側へ変位した際に光量が変動する成分）を含む部分を反射光ビームＬＲＳＡ及びＬＲＳＢとし、これらを下方向へそれぞれ大きく回折させるようになされている。
【００６２】
また領域１８Ｃ１及び１８Ｃ２は、反射光ビームＬＲＳにおける、トラック溝回折光を殆ど含まず、且つ当該反射光ビームＬＲＳの中央部分を除いた領域（すなわち上側部分及び下側部分）のうち、当該光ディスク１００の内周側部分に相当する部分をそれぞれ反射光ビームＬＲＳＣ１及びＬＲＳＣ２とする。
【００６３】
このとき領域１８Ｃ１及び１８Ｃ２は、反射光ビームＬＲＳＣ１及びＬＲＳＣ２をそれぞれほぼ下方向へ、反射光ビームＬＲＳＡよりも僅かに大きな回折角度で回折させる。
【００６４】
領域１８Ｄ１及び１８Ｄ２は、反射光ビームＬＲＳにおける、トラック溝回折光を殆ど含まず、且つ当該反射光ビームＬＲＳの中央部分を除いた領域（すなわち上側部分及び下側部分）のうち、当該光ディスク１００の外周側部分に相当する部分をそれぞれ反射光ビームＬＲＳＤ１及びＬＲＳＤ２とする。
【００６５】
このとき領域１８Ｄ１及び１８Ｄ２は、反射光ビームＬＲＳＤ１及びＬＲＳＤ２をそれぞれほぼ下方向へ、反射光ビームＬＲＳＢよりも僅かに大きな回折角度で回折させる。
【００６６】
以下では、説明の便宜上、領域１８Ｃ１及び１８Ｃ２をまとめて領域１８Ｃと呼び、反射光ビームＬＲＳＣ１及びＬＲＳＣ２をまとめて反射光ビームＬＲＳＣと呼ぶ。また、領域１８Ｄ１及び１８Ｄ２をまとめて領域１８Ｄと呼び、反射光ビームＬＲＳＤ１及びＬＲＳＤ２をまとめて反射光ビームＬＲＳＤと呼ぶ。
【００６７】
このように偏光ホログラム素子１８は、反射光ビームＬＲＳのうち、プッシュプル成分を殆ど含まず、且つトラックの走行方向における前後部分を反射光ビームＬＲＳＣ及びＬＲＳＤとし、これらを下方向へそれぞれ大きく回折させるようになされている。
【００６８】
領域１８Ｅは、反射光ビームＬＲＳの中央部分を反射光ビームＬＲＳＥとする。このとき領域１８Ｅは、反射光ビームＬＲＳＥを図の右方向、すなわち縦方向とほぼ直交する横方向へ回折させる。
【００６９】
この場合反射光ビームＬＲＳＥは、ロションプリズム１７により下方向へ大きく屈折されているため、ほぼ直進する反射光ビームＬＲＰを基準として、右斜め下方向へ進行することになる。
【００７０】
このように偏光ホログラム素子１８は、反射光ビームＬＲＳを領域ごとに設定された方向へ回折させることにより、反射光ビームＬＲＳＡ〜ＬＲＳＥに分割すると共に、反射光ビームＬＲＳＡ〜ＬＲＳＤを下方向へ、反射光ビームＬＲＳＥを右方向へ進行させるようになされている。
【００７１】
このとき反射光ビームＬＲＳＡ、ＬＲＳＢ、ＬＲＳＣ及びＬＲＳＤは、ロションプリズム１７の屈折作用により反射光ビームＬＲＳが下方向へ大きく屈折されているため、偏光訪ログラム素子１８による回折作用との組み合わせにより、ほぼ直進する反射光ビームＬＲＰに対し大きく下方向へ進行することになる。
【００７２】
コリメータレンズ１９は、反射光ビームＬＲＰ及びＬＲＳＡ〜ＬＲＳＥをそれぞれ集光し、シリンドリカルレンズ２０へ入射させる。シリンドリカルレンズ２０は、反射光ビームＬＲＰに非点収差を持たせ、光検出器２１へ照射する。
【００７３】
因みにシリンドリカルレンズ２０は、その光学的性質により、反射光ビームＬＲＡ〜ＬＲＥについても同様に非点収差を与えることになる。しかしながら反射光ビームＬＲＳＡ〜ＬＲＳＥは、偏光ホログラム素子１８により回折される際、当該非点収差を相殺するような収差が与えられるようになされている。これによりシリンドリカルレンズ２０は、反射光ビームＬＲＳＡ〜ＬＲＳＥを出射する時点で収差を持たせないようになされている。
【００７４】
光検出器２１は、図５に示すように、複数の受光部Ｄ１〜Ｄ３が形成され、さらに各受光部Ｄ１〜Ｄ３にそれぞれ複数の受光領域が形成されている。
【００７５】
受光部Ｄ１は、反射光ビームＬＲＰの光軸に対応する基準点Ｑを中心に、縦方向及び横方向にそれぞれ２分割された、すなわち格子状に４分割された受光領域Ｄ１Ａ、Ｄ１Ｂ、Ｄ１Ｃ及びＤ１Ｄにより当該反射光ビームＬＲＰを受光するようになされている。因みに受光領域Ｄ１Ａ〜Ｄ１Ｄは、いずれもほぼ同等の大きさでなる略正方形状に形成されている。
【００７６】
また受光領域Ｄ１Ａ、Ｄ１Ｂ、Ｄ１Ｃ及びＤ１Ｄは、反射光ビームＬＲＰを受光し、それぞれの受光量に応じた受光信号Ｓ１Ａ、Ｓ１Ｂ、Ｓ１Ｃ及びＳ１Ｄを生成して、これらを信号処理部４（図１）へ送出するようになされている。
【００７７】
受光部Ｄ２は、いずれもほぼ同等の大きさでなる略正方形状の受光領域Ｄ２Ａ、Ｄ２Ｂ、Ｄ２Ｃ及びＤ２Ｄが配置されている。受光領域Ｄ２Ａ〜Ｄ２Ｄは、基準点Ｑから下方向に距離ｕ１以上隔離した位置に配置されている。例えば受光部Ｄ２は、縦方向及び横方向にそれぞれ２分割されることにより、すなわち格子状に４分割された受光領域Ｄ２Ａ、Ｄ２Ｂ、Ｄ２Ｃ及びＤ２Ｄを有している。
【００７８】
受光領域Ｄ２Ａ及びＤ２Ｂは、反射光ビームＬＲＳＡ及びＬＲＳＢをそれぞれ受光し、それぞれの受光量に応じた受光信号Ｓ２Ａ及びＳ２Ｂを生成して、これらを信号処理部４へ送出するようになされている。
【００７９】
また受光領域Ｄ２Ｃ及びＤ２Ｄは、反射光ビームＬＲＳＣ及びＬＲＳＤをそれぞれ受光し、それぞれの受光量に応じた受光信号Ｓ２Ｃ及びＳ２Ｄを生成して、これらを信号処理部４へ送出するようになされている。
【００８０】
受光部Ｄ３は、基準点Ｑから右下方向に離隔した箇所に設けられており、格子状に４分割された受光領域Ｄ３Ａ、Ｄ３Ｂ、Ｄ３Ｃ及びＤ３Ｄにより反射光ビームＬＲＳＥを受光するようになされている。
【００８１】
受光領域Ｄ３Ａ、Ｄ３Ｂ、Ｄ３Ｃ及びＤ３Ｄは、それぞれの受光量に応じた受光信号Ｓ３Ａ、Ｓ３Ｂ、Ｓ３Ｃ及びＳ３Ｄを生成し、これらを信号処理部４へ送出するようになされている。
【００８２】
因みに受光部Ｄ３における各受光領域の分割方向は、基準点Ｑと受光部Ｄ３の中心を結ぶ仮想的な直線と平行及び垂直な方向になされており、例えば受光部Ｄ１における分割方向と約４５度の角度をなすようになされている。また受光領域Ｄ３Ａ〜Ｄ３Ｄは、いずれもほぼ同等の大きさでなる略正方形状に形成されている。
【００８３】
ここで、光ピックアップ７において反射光ビームＬＲがロションプリズム１７により屈折され、また偏光ホログラム素子１８により回折されると共に複数に分割された上で光検出器２１へ照射される様子を模式的に表すと、図６のように表すことができる。なお図５〜図７では、便宜上、反射光ビームＬＲＳＡ〜ＬＲＳＥがある程度の面積を持って各受光領域に照射されるように示しているが、実際には各受光領域の面積を小さくするため、ほぼ点状に照射される。
【００８４】
このように光検出器２１は、受光部Ｄ１〜Ｄ３の各受光領域により反射光ビームＬＲＰ、ＬＲＳＡ〜ＬＲＳＥをそれぞれ受光し、それぞれの受光量に応じた受光信号をそれぞれ生成して信号処理部４へ供給するようになされている。
【００８５】
（１−３）迷光の照射と受光領域の配置
ところで光ディスク１００は、対象記録層ＹＴ以外の記録層Ｙにおいても、常にそれぞれ所定の反射率で光ビームを反射するようになされている。このように、対象記録層ＹＴ以外の記録層Ｙにより光ビームＬ１の一部が反射されてなる光ビームを層間迷光ビームＬＮと呼ぶ。
【００８６】
層間迷光ビームＬＮは、反射光ビームＬＲと同様の光路を通り、ロションプリズム１７を透過又は屈折し、偏光ホログラム素子１８により直進又は回折した上で、最終的に光検出器２１に照射される。
【００８７】
ここで光ピックアップ７では、反射光ビームＬＲについて、光検出器２１が対象記録層ＹＴの共焦点となるように各種光学部品の配置や光学特性等が定められている。
【００８８】
これに対し層間迷光ビームＬＮは、反射光ビームＬＲと比較して、対物レンズ８から光ビームＬ１として出射されてから光検出器２１に到達するまでの光路長が相違する。
【００８９】
このため層間迷光ビームＬＮは、反射光ビームＬＲと同様の分割パターンにより分割され、且つ焦点が外れた状態、いわゆるデフォーカスした状態で光検出器２１に照射される。
【００９０】
この結果光検出器２１には、図７に示すように、他の記録層Ｙにより反射されてなる層間迷光ビームＬＮが照射されることにより、迷光パターンＷ１が形成される。
【００９１】
この迷光パターンＷ１は、層間迷光ビームＬＮのうちロションプリズム１７及び偏光ホログラム素子１８を透過しほぼ直進した部分により、反射光ビームＬＲＰと対応する迷光パターンＷ１０が形成されている。
【００９２】
また迷光パターンＷ１は、偏光ホログラム素子１８の領域１８Ａ及び１８Ｂにより迷光パターンＷ１Ａ及びＷ１Ｂが形成され、領域１８Ｃ１、１８Ｃ２、１８Ｄ１及び１８Ｄ２により迷光パターンＷ１Ｃ１、Ｗ１Ｃ２、Ｗ１Ｄ１及びＷ１Ｄ２がそれぞれ形成されている。
【００９３】
ここで光検出器２１の受光部Ｄ２は、迷光パターンＷ１０を回避するべく、受光部Ｄ１からの距離ｕ１が大きくなるよう配置されており、さらに迷光パターンＷ１Ａ、Ｗ１Ｂ、Ｗ１Ｃ１、Ｗ１Ｃ２、Ｗ１Ｄ１、Ｗ１Ｄ２及びＷ１Ｅのいずれもがかからないよう配置されている。
【００９４】
このとき光ピックアップ７では、ロションプリズム１７による下方向への屈折角度が比較的大きいため、偏光ホログラム素子１８による下方向への回折角度がそれほど大きくないものの、反射光ビームＬＲＳＡ〜ＬＲＳＤを受光部Ｄ２の受光領域Ｄ２Ａ〜Ｄ２Ｄに確実に照射させることができる。
【００９５】
このように光検出器２１の各受光領域は、対象記録層ＹＴ以外の他の記録層Ｙにより反射された層間迷光ビームＬＮにより迷光パターンＷが形成された際にも、受光部Ｄ２に当該迷光パターンがかからないように配置されている。
【００９６】
さらに光ピックアップ７では、光検出器２１の取付角度を調整する際、受光部Ｄ３における検出結果を用いるようになされている。
【００９７】
すなわち光ピックアップ７は、その組立工程等において、調整用の光ディスク１００が装填された上で、統括制御部２の制御に基づき、光ビームＬ１を当該光ディスク１００へ照射する。
【００９８】
これに応じて光検出器２１の受光部Ｄ１には、反射光ビームＬＲＰが非点収差を持った状態で照射される。
【００９９】
この組立工程において、光検出器２１は、後述するフォーカスエラー信号ＳＦＥ１が値「０」となるように、反射光ビームＬＲＰの光軸に沿った方向に関する取付位置及び当該光軸に直交する平面における取付位置が微調整される。
【０１００】
これにより、光検出器２１は、反射光ビームＬＲＰの光軸に沿った方向に関する取付位置が最適化され、また縦方向及び横方向に関する取付位置も最適化される。
【０１０１】
さらに光検出器２１は、受光信号Ｓ３Ａ及びＳ３Ｄの和と受光信号Ｓ３Ｂ及びＳ３Ｃの和とがほぼ同等の信号レベルとなるよう、基準点Ｑを中心とした取付角度が調整される。
【０１０２】
これにより光検出器２１は、基準点Ｑを中心とした回転方向に関する取付角度についても最適化される。
【０１０３】
このように光検出器２１では、他の記録層Ｙからの層間迷光ビームＬＮを回避し得るように、受光部Ｄ２の受光領域Ｄ２Ａ〜Ｄ２Ｄがそれぞれ配置されている。
【０１０４】
（１−４）フォーカス制御及びトラッキング制御
信号処理部４は、次の（１）式に従った演算を行うことにより、非点収差法によるフォーカスエラー信号ＳＦＥ１を算出し、これを駆動制御部３へ供給する。
【０１０５】
【数１】
2010027098.tif 000003
【０１０６】
このフォーカスエラー信号ＳＦＥ１は、光ディスク１００において、光ビームＬ１の焦点Ｆ１と対象記録層ＹＴとのずれ量を表すことになる。
【０１０７】
また信号処理部４は、トラッキングエラー信号の生成については、ＤＰＤ（Differential Phase Detection）法等の位相差法又は１ビームプッシュプル法のいずれかを用いるようになされている。
【０１０８】
具体的に信号処理部４は、光ディスク１００の種類に応じて、当該光ディスク１００が記録層Ｙにピット列が予め形成されたＢＤ−ＲＯＭ（Read Only Memory）であった場合には位相差法を用いる。また信号処理部４は、当該光ディスク１００が記録可能なＢＤ−Ｒ（Recordable）又はＢＤ−ＲＥ（Rewritable）であった場合には、１ビームプッシュプル法を用いる。
【０１０９】
信号処理部４は、１ビームプッシュプル法を用いる場合、次の（２）式に従った演算を行うことによりトラッキングエラー信号ＳＴＥ１を算出し、これを駆動制御部３へ供給する。
【０１１０】
【数２】
2010027098.tif 000004
【０１１１】
このトラッキングエラー信号ＳＴＥ１は、光ディスク１００において、光ビームＬ１の焦点Ｆ１と対象記録層ＹＴにおける所望のトラックとのずれ量を表すことになる。
【０１１２】
因みに（２）式において、係数ｋは所定の係数を表している。また（Ｓ２Ａ−Ｓ２Ｂ）の項は、プッシュプル成分（すなわち光ビームＬ１の焦点Ｆ１と所望のトラックとの相対的な変位）にレンズシフト成分（すなわち対物レンズ８のトラッキング方向への変位）が加算された値に相当する。さらにｋ×（Ｓ２Ｃ−Ｓ２Ｄ）の項は、レンズシフト成分の値に相当する。
【０１１３】
すなわち（２）式の前半部分では、レンズシフト成分が加算されたプッシュプル成分の値から、レンズシフト成分のみを減算することにより、プッシュプル成分を算出している。
【０１１４】
一方信号処理部４は、位相差法を用いる場合、受光信号Ｓ１Ａ、Ｓ１Ｂ、Ｓ１Ｃ及びＳ１Ｄを基に、次に示す（３）式に従った演算処理を行うことによりトラッキングエラー信号ＳＴＥ１を生成し、これを駆動制御部３へ供給する。
【０１１５】
【数３】
2010027098.tif 000005
【０１１６】
因みに（３）式では、演算子φは信号位相を表しており、式全体としては位相差を算出している。
【０１１７】
駆動制御部３は、フォーカスエラー信号ＳＦＥ１を基にフォーカス駆動信号ＳＦＤ１を生成し、これを２軸アクチュエータ９へ供給する。２軸アクチュエータ９は、フォーカス駆動信号ＳＦＤ１に基づき対物レンズ８をフォーカス方向へ駆動する（以下これをフォーカス制御と呼ぶ）。
【０１１８】
光ディスク装置１は、このフォーカス制御を繰り返し行う（すなわちフィードバック制御を行う）ことにより、光ビームＬ１の焦点Ｆ１と対象記録層ＹＴとのフォーカス方向に関するずれ量を任意の目標値に収束させていく。
【０１１９】
また駆動制御部３は、トラッキングエラー信号ＳＴＥ１を基にトラッキング駆動信号ＳＴＤ１を生成し、これを２軸アクチュエータ９へ供給する。２軸アクチュエータ９は、トラッキング駆動信号ＳＴＤ１に基づき対物レンズ８をトラッキング方向へ駆動する（以下これをトラッキング制御と呼ぶ）。
【０１２０】
光ディスク装置１は、このトラッキング制御についても繰り返し行う（すなわちフィードバック制御を行う）ことにより、光ビームＬ１の焦点Ｆ１と対象記録層ＹＴにおける所望のトラックとのトラッキング方向に関するずれ量を任意の目標値に収束させていく。
【０１２１】
かくして光ディスク装置１は、フォーカス制御及びトラッキング制御を行うことにより、光ビームＬ１の焦点Ｆ１を対象記録層ＹＴにおける所望のトラックに合わせるようになされている。
【０１２２】
また光ディスク装置１は、信号処理部４において、次の（４）式に従って受光信号Ｓ１Ａ〜Ｓ１Ｄを加算することにより再生ＲＦ信号ＳＲＦを算出するようになされている。
【０１２３】
【数４】
2010027098.tif 000006
【０１２４】
この再生ＲＦ信号ＳＲＦは、反射光ビームＬＲＰ全体の光量に相当すると共に、光ディスク１００に記録された信号を表している。その後信号処理部４は、再生ＲＦ信号ＳＲＦに対し所定の復調処理や復号化処理等を施すことにより、光ディスク１００に記録されている情報を再生するようになされている。
【０１２５】
（１−５）動作及び効果
以上の構成において光ディスク装置１の光ピックアップ７は、光ビームＬ１を光ディスク１００へ照射し、当該光ディスク１００により反射されてなる反射光ビームＬＲの偏光方向を１／２波長板１６によって回転させた上でロションプリズム１７へ入射させる。
【０１２６】
ロションプリズム１７は、反射光ビームＬＲのＰ偏光成分をそのまま透過して反射光ビームＬＲＰとし、Ｓ偏光成分を大きく屈折させて反射光ビームＬＲＳとして、偏光ホログラム素子１８へ入射させる。
【０１２７】
偏光ホログラム素子１８は、Ｐ偏光でなる反射光ビームＬＲＰを透過してほぼ直進させると共に、領域１８Ａ〜１８Ｅ（図４）ごとに、Ｓ偏光でなる反射光ビームＬＲＳを回折させる。
【０１２８】
このとき偏光ホログラム素子１８は、反射光ビームＬＲＳＡ〜ＬＲＳＤをそれぞれ下方向へ回折させ、反射光ビームＬＲＳＥを右下方向へ回折させる。
【０１２９】
これに応じて光検出器２１は、受光部Ｄ１の受光領域Ｄ１Ａ〜Ｄ１Ｄにより反射光ビームＬＲＰを受光し、受光信号Ｓ１Ａ〜Ｓ１Ｄを生成する。また光検出器２１は、受光部Ｄ２の受光領域Ｄ２Ａ〜Ｄ２Ｄにより反射光ビームＬＲＳＡ〜ＬＲＳＤをそれぞれ受光し、受光信号Ｓ２Ａ〜Ｓ２Ｄを生成する。
【０１３０】
信号処理部４は、１ビームプッシュプル法によるトラッキング制御を行う場合、（２）式に従ってトラッキングエラー信号ＳＴＥ１を算出し、これを駆動制御部３へ供給する。駆動制御部３は、トラッキングエラー信号ＳＴＥ１を基にトラッキング駆動信号ＳＴＤ１を生成し２軸アクチュエータ９へ供給することにより、トラッキング制御を行う。
【０１３１】
ところで、一般に１ビームプッシュプル法では、再生ＲＦ信号ＳＲＦの信号レベルを高めるべく、ロションプリズム１７における屈折時に、直進する反射光ビームＬＲＰの光強度を屈折させる反射光ビームＬＲＳの光強度よりも高めるようになされている。
【０１３２】
これに伴い光検出器２１では、反射光ビームＬＲＳＡ〜ＬＲＳＤの照射強度が相対的に弱くなり、受光信号Ｓ２Ａ〜Ｓ２Ｄ等のＳ／Ｎ（Signal/Noise）比等も比較的低くなってしまう。
【０１３３】
このため光ディスク装置１では、光検出器２１において受光部Ｄ２の受光領域Ｄ２Ａ〜Ｄ２Ｄに迷光パターンＷ１、特に比較的光量が大きい迷光パターンＷ１０がかかった場合、トラッキングエラー信号ＳＴＥ１の精度が大幅に低下してしまうおそれがあった。
【０１３４】
これに対し光検出器２１では、受光部Ｄ１から大きく下方へ離隔した位置に受光部Ｄ２を設けているため、当該受光部Ｄ２に対する迷光パターンＷ１０の照射を確実に回避することができる。
【０１３５】
また光ディスク装置１では、ロションプリズム１７により反射光ビームＬＲＳを大きく屈折させている。このため反射光ビームＬＲＳＡ〜ＬＲＳＤは、ほぼ直進する反射光ビームＬＲＰの進行方向に対し、偏光ホログラム素子１８のみでは得られないような大きなビーム間角度α（図２）をなす事が可能となる。
【０１３６】
特に偏光ホログラム素子１８に形成されたブレーズドホログラムは、一般に、バイナリ型のホログラムと比較して、光利用効率が高い反面、格子ピッチを細かくすることができず、回折角度を大きくすることが困難である。
【０１３７】
この点について、ロションプリズム１７は、その特性上、偏光ホログラム素子１８の回折角度よりも大きな屈折角度を容易に得ることができる。このため光ピックアップ７では、偏光ホログラム素子１８における格子ピッチをそれほど細かくする必要がなく、当該偏光ホログラム素子１８を設計及び製造する際の制約を緩和することが可能となり、また反射光ビームの利用効率を高めると共に安定的に回折することができる。
【０１３８】
従って光ディスク装置１は、光検出器２１の受光部Ｄ２によって迷光パターンＷの影響を受けることなく反射光ビームＬＲＳＡ〜ＬＲＳＤをそれぞれ受光でき、その受光結果である受光信号Ｓ２Ａ〜Ｓ２Ｄを用いて生成したトラッキングエラー信号ＳＴＥ１を基にトラッキング制御を行うことができる。
【０１３９】
一般に、光ディスク１００における層間距離が拡大した場合、例えば記録層Ｙが４層のように多数設けられている場合、光検出器２１に照射される迷光パターンＷの照射面積は、当該記録層Ｙが２層の場合等と比較して、大幅に拡大することになる。
【０１４０】
例えば光ディスク装置１における対物レンズ８のＮＡが０．８５であり、光ディスク１００から光検出器２１間での光路における反射光ビームＬＲの横倍率が１２であり、光ディスク１００の屈折率が１．６であったとする。
【０１４１】
また光ディスク１００は、光ビームＬ１が照射される照射面１００Ａ側から４層の記録層Ｙ３、Ｙ２、Ｙ１及びＹ０が設けられ、照射面１００Ａから記録層Ｙ３、Ｙ２及びＹ０までの距離がそれぞれ５０［μｍ］、７５［μｍ］、１００［μｍ］であるとする。
【０１４２】
この光ディスク装置１では、記録層Ｙ２が対象記録層ＹＴの場合に、記録層Ｙ０において生成された層間迷光ビームＬＮによる迷光パターンＷ１０の半径は、約３７６［μｍ］となる。
【０１４３】
一方、この光ディスク装置１では、記録層Ｙ３が対象記録層ＹＴの場合に、記録層Ｙ０において生成された層間迷光ビームＬＮによる迷光パターンＷ１０の半径は、約７５２［μｍ］となる。
【０１４４】
実際上光ディスク装置１は、光検出器２１において、このような迷光パターンＷ１０を回避し得る位置に受光部Ｄ２を配置したとしても、ロションプリズム１７及び偏光ホログラム素子１８の組み合わせにより、反射光ビームＬＲＳＡ〜ＬＲＳＤの進行方向を大きく変化させることができ、これらを正しく受光することができる。
【０１４５】
ここで、光ディスク装置１の光ピックアップ７と他の構成の光ピックアップとを対比する。
【０１４６】
図２との対応部分に同一符号を付した図８に示すように、他の光ピックアップ３０は、光ピックアップ７から１／２波長板１６及びロションプリズム１７が省略され、また偏光ホログラム素子１８に代えてホログラム素子３１が設けられている。
【０１４７】
ホログラム素子３１は、偏光ホログラム素子１８と同様に領域分割された各領域により、それぞれ偏光ホログラム素子１８の領域１８Ａ〜１８Ｅ及びロションプリズム１７との組み合わせで得られる角度と同等の回折角度で反射光ビームＬＲを回折させる。すなわちビーム間角度β１は、ホログラム素子３１のみにより定められる。
【０１４８】
従って光ピックアップ３０では、ロションプリズム１７及び偏光ホログラム素子１８の組み合わせによりビーム間角度α（図２）が定められる光ピックアップ７と比較して、ホログラム素子３１による回折角度（すなわちビーム間角度β１）を大きくしなければならない。この場合ホログラム素子３１は、格子ピッチを微細化する必要があるものの、これに伴い回折効率の低下や品質のばらつき等といった問題が生じることになってしまう。
【０１４９】
また、図２との対応部分に同一符号を付した図９に示すように、光ピックアップ４０は、光ピックアップ７のコリメータレンズ１２、コリメータレンズ１９及びビームエクスパンダ１４の機能を兼ね備えた可動式のコリメータレンズ４２が設けられている。
【０１５０】
さらに光ピックアップ４０には、偏光ホログラム素子１８に代えて上述したホログラム素子３１と同様に領域分割されたホログラム素子４４が設けられている。
【０１５１】
この光ピックアップ４０は、コリメータレンズ４２から光検出器２１までの光路長等の要因により、ホログラム素子４４を光検出器２１に近接させて配置する必要がある。このためホログラム素子４４は、ホログラム素子３１よりもビーム間角度β２を大きくするべく、格子ピッチをさらに微細化する必要があり、さらなる回折効率の低下や品質のばらつき等の問題を引き起こすおそれがある。
【０１５２】
また、図９との対応部分に同一符号を付した図１０に示すように、光ピックアップ５０は、光ピックアップ４０のホログラム素子４４に代えて偏光ホログラム素子５１が設けられている。偏光ホログラム素子５１は、対物レンズ８及び１／４波長板１５と共にレンズホルダ（図示せず）に取り付けられ、２軸アクチュエータ９により移動されることになる。
【０１５３】
この偏光ホログラム素子５１は、偏光特性を有することにより、光ディスク１００へ向かう光ビームＬ１には作用せず、光ディスク１００において反射された反射光ビームＬＲに作用するようになされている。
【０１５４】
光ピックアップ５０は、偏光ホログラム素子５１が光検出器２１から離隔しているため、回折角度（ビーム間角度β３）を比較的小さくできる。しかしながらこの偏光ホログラム素子５１は、光ビームＬ１が照射されることから耐光性の問題を生じることになり、また２軸アクチュエータ９により対物レンズ８及び１／４波長板１５と一体に稼働されるため、当該２軸アクチュエータ９の大型化といった他の問題も生じるおそれがあった。
【０１５５】
これに対し本発明による光ディスク装置１の光ピックアップ７は、ロションプリズム１７を用いることにより、偏光ホログラム素子１８における回折角度を大きくする必要なくビーム間角度αを大きくすることができるので、光ピックアップ３０、４０及び５０について述べたこれらの問題を生じるおそれはない。
【０１５６】
以上の構成によれば、光ディスク装置１の光ピックアップ７は、反射光ビームＬＲの偏光方向を１／２波長板１６によって回転させ、ロションプリズム１７によりＰ偏光成分を反射光ビームＬＲＰとしてほぼ直進させると共に、Ｓ偏光成分を反射光ビームＬＲＳとして下方向へ大きく屈折させる。さらに光ピックアップ７は、偏光ホログラム素子１８により、反射光ビームＬＲＰを透過させると共に、反射光ビームＬＲＳを領域１８Ａ〜１８Ｅごとに回折させ反射光ビームＬＲＳＡ〜ＬＲＳＥとする。これにより光ピックアップ７の光検出器２１は、反射光ビームＬＲＰを検出する検出部Ｄ１から大きく離隔した検出部Ｄ２により、迷光パターンＷを回避しながら反射光ビームＬＲＳＡ〜ＬＲＳＤを受光して受光信号Ｓ２Ａ〜Ｓ２Ｄを生成することができる。この結果光ディスク装置１は、迷光パターンＷ１の影響を受けることなくトラッキングエラー信号ＳＴＥ１を生成でき、精度良くトラッキング制御を行うことができる。
【０１５７】
（２）第２の実施の形態
（２−１）光ディスク装置の構成
第２の実施の形態による光ディスク装置６０は、第１の実施の形態による光ディスク装置１（図１）と比較して、信号処理部４及び光ピックアップ７に代えて、信号処理部６４及び光ピックアップ６７が設けられている点が異なっているものの、他は同様に構成されている。
【０１５８】
信号処理部６４は、信号処理部４と比較して、再生ＲＦ信号ＳＲＦの算出手法が相違するものの、フォーカスエラー信号ＳＦＥ１及びトラッキングエラー信号ＳＴＥ１の算出に関する部分等、他の点については同様に構成されている。
【０１５９】
（２−２）光ピックアップの構成
図２との対応部分に同一符号を付した図１１に示すように、光ピックアップ６７は、１／２波長板１６及び偏光ホログラム素子１８に代えて複合ホログラム素子６８が設けられ、光検出器２１に代えて光検出器６９が設けられている点が相違するものの、他は同様に構成されている。
【０１６０】
図３と対応する図１２に模式的に示すように、複合ホログラム素子６８は、１／２波長板１６に対応する１／２波長板６８Ａと、偏光ホログラム素子１８に対応するホログラム６８Ｂとを一体に組み合わせたような構成を有している。
【０１６１】
１／２波長板６８Ａは、図１３に斜線で示すように、領域６８ＡＡ及び６８ＡＢを除いた領域６８ＡＭ、すなわち偏光ホログラム素子１８における領域１８Ｃ１、１８Ｃ２、１８Ｄ１、１８Ｄ２及び１８Ｅに対応する部分において、光ビームの偏光方向を所定角度（約９０度）回転させるようになされている。
【０１６２】
すなわち領域６８ＡＭは、Ｓ偏光の反射光ビームＬＲのうち、トラック溝回折光を殆ど含まない部分、すなわちレンズシフト成分を表す部分について、偏光方向を回転させＰ偏光とすることにより反射光ビームＬＲＰとし、これをホログラム６８Ｂへ入射させる。
【０１６３】
一方領域６８ＡＡ及び６８ＡＢは、偏光ホログラム素子１８における領域１８Ａ及び１８Ｂとそれぞれ対応した形状となっており、光ビームの偏光方向を変化させることなくそのまま透過させるようになされている。
【０１６４】
すなわち領域６８ＡＡ及び６８ＡＢは、反射光ビームＬＲのうち、トラック溝回折光を含み、且つ当該光ディスク１００の内周側部分及び外周側部分に相当する部分を、それぞれＳ偏光の反射光ビームＬＲＳＡ及びＬＲＳＢとして、ホログラム６８Ｂへ入射させる。
【０１６５】
ここで反射光ビームＬＲＳＡ及びＬＲＳＢは、反射光ビームＬＲにおけるプッシュプル成分及びレンズシフト成分を含む部分を切り出したものに相当する。
【０１６６】
このように１／２波長板６８Ａは、反射光ビームＬＲの進行方向を維持したまま偏光方向を領域ごとに相違させることにより、Ｐ偏光の反射光ビームＬＲＰとＳ偏光の反射光ビームＬＲＳＡ及びＬＲＳＢとに分離するようになされている。
【０１６７】
ホログラム６８Ｂは、図４と対応する図１４に示すように、偏光ホログラム素子１８と同様、領域１８Ａ〜１８Ｅとそれぞれ対応した領域６８ＢＡ〜６８ＢＥに分割されており、領域ごとに光ビームを回折させ得るようになされている。
【０１６８】
このホログラム６８Ｂは、偏光ホログラム素子１８と異なり、光ビームの偏光方向に拘わらず回折作用を呈するようになされている。因みに図１４では、光ビームの回折方向を白抜きの太矢印により示しており、出射される光ビームの偏光方向を実線の矢印により表している。
【０１６９】
領域６８ＢＡ及び領域６８ＢＢは、それぞれブレーズドホログラムが形成されており、入射された光ビームのほぼ全てをほぼ下方向へ回折させるようになされている。
【０１７０】
実際上領域６８ＢＡは、反射光ビームＬＲＳＡ、すなわちトラック溝回折光を含み、且つ当該光ディスク１００の内周側部分に相当する部分をほぼ下方向へ回折させる。
【０１７１】
また領域６８ＢＢは、反射光ビームＬＲＳＢ、すなわちトラック溝回折光を含み、且つ当該光ディスク１００の外周側部分に相当する部分をほぼ下方向へ回折させる。
【０１７２】
領域６８ＢＣ１、６８ＢＣ２、６８ＢＤ１、６８ＢＤ２及び６８ＢＥは、それぞれバイナリ型のホログラムが形成されており、入射される反射光ビームＬＲＰの大部分を０次光として直進させて反射光ビームＬＲＰ０とすると共に、その一部を１次光として回折させるようになされている。
【０１７３】
このとき領域６８ＢＣ１及び６８ＢＣ２は、反射光ビームＬＲＰの一部をそれぞれ回折させて１次光でなる反射光ビームＬＲＰ１Ｃ１及びＬＲＰ１Ｃ２とし、これらをほぼ右方向へ回折させる。
【０１７４】
また領域６８ＢＤ１及び６８ＢＤ２は、反射光ビームＬＲＰの一部をそれぞれ回折させて１次光でなる反射光ビームＬＲＰ１Ｄ１及びＬＲＰ１Ｄ２とし、これらをほぼ右方向へ回折させる。
【０１７５】
以下では、領域６８Ｃ１及び６８Ｃ２をまとめて領域６８Ｃと呼び、反射光ビームＬＲＰ１Ｃ１及びＬＲＰ１Ｃ２をまとめて反射光ビームＬＲＰ１Ｃと呼ぶ。また、領域６８Ｄ１及び７８Ｄ２をまとめて領域６８Ｄと呼び、反射光ビームＬＲＰ１Ｄ１及びＬＲＰ１Ｄ２をまとめて反射光ビームＬＲＰ１Ｄと呼ぶ。
【０１７６】
さらに領域６８ＢＥは、反射光ビームＬＲＰの一部を回折させて１次光でなる反射光ビームＬＲＰ１Ｅとし、これをほぼ右下方向へ回折させる。
【０１７７】
このようにホログラム６８Ｂは、反射光ビームＬＲＳＡ及びＬＲＳＢをそれぞれ下方向へ回折させ、０次光でなる反射光ビームＬＲＰ０をほぼ直進させ、１次光でなる反射光ビームＬＲＰ１Ｃ及びＬＲＰ１Ｄをそれぞれ下方向へ回折させ、さらに１次光でなる反射光ビームＬＲＰ１Ｅを右下方向へ回折させるようになされている。
【０１７８】
このとき反射光ビームＬＲＳＡ及びＬＲＳＢはＳ偏光として、また反射光ビームＬＲＰ０、ＬＲＰＣ、ＬＲＰＤ及びＬＲＰＥはＰ偏光として、それぞれロションプリズム１７へ入射される。
【０１７９】
ロションプリズム１７は、第１の実施の形態と同様、入射された光ビームのうちＳ偏光成分を下方向へ屈折させると共に、Ｐ偏光成分を透過するようになされている。
【０１８０】
すなわちロションプリズム１７は、Ｓ偏光でなる反射光ビームＬＲＳＡ及びＬＲＳＢをそれぞれ下方向へ大きく屈折させ、コリメータレンズ１９へ入射させる。
【０１８１】
またロションプリズム１７は、Ｐ偏光でなる反射光ビームＬＲＰ０、ＬＲＰ１Ｃ、ＬＲＰ１Ｄ及びＬＲＰ１Ｅについてはそのまま透過してコリメータレンズ１９へ入射させる。
【０１８２】
コリメータレンズ１９は、反射光ビームＬＲＳＡ、ＬＲＳＢ、ＬＲＰ０、ＬＲＰ１Ｃ、ＬＲＰ１Ｄ及びＬＲＰ１Ｅをそれぞれ集光し、シリンドリカルレンズ２０へ入射させる。
【０１８３】
シリンドリカルレンズ２０は、反射光ビームＬＲＰ０に非点収差を持たせ、光検出器６９へ照射する。
【０１８４】
因みにシリンドリカルレンズ２０は、その光学的性質により、反射光ビームＬＲＳＡ及びＬＲＳＢ並びにＬＲＰ１Ｃ〜ＬＲＰ１Ｅについても同様に非点収差を持たせることになる。しかしながら反射光ビームＬＲＳＡ及びＬＲＳＢ並びにＬＲＰ１Ｃ〜ＬＲＰ１Ｅは、複合ホログラム素子６８により回折される際、当該非点収差を相殺するような収差が与えられるようになされており、これによりシリンドリカルレンズ２０から出射される時点で収差を持たないようになされている。
【０１８５】
光検出器６９は、図５と対応する図１５に示すように、複数の受光部Ｄ１、Ｄ３、Ｄ１２及びＤ１３が形成され、さらに各受光部Ｄ１、Ｄ３、Ｄ１２及びＤ１３にそれぞれ複数の受光領域が形成されている。
【０１８６】
受光部Ｄ１は、第１の実施の形態と同様、反射光ビームＬＲＰ０の光軸に対応する基準点Ｑを中心に格子状に４分割された受光領域Ｄ１Ａ、Ｄ１Ｂ、Ｄ１Ｃ及びＤ１Ｄが形成されている。
【０１８７】
受光部Ｄ１は、受光領域Ｄ１Ａ、Ｄ１Ｂ、Ｄ１Ｃ及びＤ１Ｄにより反射光ビームＬＲＰ０を受光し、それぞれの受光量に応じた受光信号Ｓ１Ａ、Ｓ１Ｂ、Ｓ１Ｃ及びＳ１Ｄを生成して、これらを信号処理部６４（図１）へ送出するようになされている。
【０１８８】
受光部Ｄ１２は、受光部Ｄ２（図５）と同様、基準点Ｑから下方向に比較的大きく離隔した箇所に設けられている。また受光部Ｄ１２は、縦方向に２分割されることにより、受光領域Ｄ１２Ａ及びＤ１２Ｂが縦方向に並べて配置されている。因みに受光領域Ｄ１２Ａ及びＤ１２Ｂは、いずれもほぼ同等の大きさでなる略正方形状に形成されている。
【０１８９】
受光領域Ｄ１２Ａ及びＤ１２Ｂは、反射光ビームＬＲＳＡ及びＬＲＳＢをそれぞれ受光し、それぞれの受光量に応じた受光信号Ｓ２Ａ及びＳ２Ｂを生成して、これらを信号処理部６４へ送出するようになされている。
【０１９０】
因みに受光部Ｄ１２は、反射光ビームＬＲＳＡ及びＬＲＳＢがホログラム６８Ｂにより下方向へ回折された上でロションプリズム１７により下方向へ大きく屈折されるため、受光部Ｄ１から比較的大きく離隔されている。
【０１９１】
受光部Ｄ１３は、基準点Ｑから右方向にやや離隔した箇所に設けられており、横方向に２分割されることにより、受光領域Ｄ１３Ｃ及びＤ１３Ｄが横方向に並べて配置されている。因みに受光領域Ｄ１３Ｃ及びＤ１３Ｄは、いずれもほぼ同等の大きさでなる略正方形状に形成されている。
【０１９２】
受光領域Ｄ１３Ｃ及びＤ１３Ｄは、反射光ビームＬＲＳＣ及びＬＲＳＤをそれぞれ受光し、それぞれの受光量に応じた受光信号Ｓ２Ｃ及びＳ２Ｄを生成して、これらを信号処理部６４へ送出するようになされている。
【０１９３】
受光部Ｄ３は、第１の実施の形態と同様、基準点Ｑから右下方向に離隔した箇所に設けられており、格子状に４分割された受光領域Ｄ３Ａ、Ｄ３Ｂ、Ｄ３Ｃ及びＤ３Ｄにより反射光ビームＬＲＰＥを受光するようになされている。
【０１９４】
受光領域Ｄ３Ａ、Ｄ３Ｂ、Ｄ３Ｃ及びＤ３Ｄは、それぞれの受光量に応じた受光信号Ｓ３Ａ、Ｓ３Ｂ、Ｓ３Ｃ及びＳ３Ｄを生成し、これらを信号処理部６４へ送出するようになされている。
【０１９５】
ここで、光ピックアップ６７において反射光ビームＬＲがホログラム６８Ｂにより回折されると共に分割され、ロションプリズム１７により屈折された上で光検出器６９へ照射される様子を模式的に表すと、図６と対応する図１６のように表すことができる。
【０１９６】
このように光検出器６９は、受光部Ｄ１、Ｄ３、Ｄ１２及びＤ１３の各受光領域により反射光ビームＬＲＳＡ及びＬＲＳＢ並びにＬＲＰ０及びＬＲＰ１Ｃ〜ＬＲＰ１Ｅをそれぞれ受光し、それぞれの受光量に応じた受光信号をそれぞれ生成して信号処理部６４へ供給するようになされている。
【０１９７】
（２−３）迷光の照射と受光領域の配置
ところで第２の実施の形態では、図７と対応する図１７に示すように、光検出器６９に層間迷光ビームＬＮが照射されることにより、迷光パターンＷ２が形成される。
【０１９８】
この迷光パターンＷ２では、層間迷光ビームＬＮのうちホログラム６８Ｂの領域６８ＢＣ、６８ＢＤ及び６８ＢＥから０次光として出射される部分により、迷光パターンＷ２０が形成される。
【０１９９】
また迷光パターンＷ２は、層間迷光ビームＬＮのうちホログラム６８Ｂの領域６８ＢＡ及び６８ＢＢに回折されロションプリズム１７により屈折された部分により迷光パターンＷ２Ａ及びＷ２Ｂが形成される。
【０２００】
さらに迷光パターンＷ２では、層間迷光ビームＬＮのうちホログラム６８Ｂの領域６８ＢＣ１、６８ＢＣ２、６８ＢＤ１、６８ＢＤ２及び６８ＢＥによりそれぞれ回折され１次光として出射される部分により、迷光パターンＷ２Ｃ１、Ｗ２Ｃ２、Ｗ２Ｄ１、Ｗ２Ｄ２及びＷ２Ｅがそれぞれ形成される。
【０２０１】
受光部Ｄ１は、迷光パターンＷ２０が全体に照射されているため、後述するフォーカスエラー信号ＳＦＥ１の算出において、当該迷光パターンＷ２０による影響を相殺し得るようになされている。
【０２０２】
受光部Ｄ１２は、受光部Ｄ１からの距離ｕ２が比較的大きくなされ、迷光パターンＷ２０を回避し得るように配置されている。この場合反射光ビームＬＲＳＡ及びＬＲＳＢは、いずれもロションプリズム１７により大きく屈折されているため、ホログラム６８Ｂによる回折角度がそれほど大きくないものの、受光領域Ｄ１２Ａ及びＤ１２Ｂに確実に照射され得る。
【０２０３】
特に受光部Ｄ１２は、受光領域Ｄ１２Ａ及びＤ１２Ｂが互いに縦方向に並べられているため、横方向の幅が狭く抑えられている。これにより受光領域Ｄ１２Ａ及びＤ１２Ｂは、迷光パターンＷ２Ａ及びＷ２Ｂがかからないようになされている。
【０２０４】
また受光部Ｄ１３は、受光部Ｄ１に比較的近接して設けられているものの、偏光方向の相違により迷光パターンＷ２０において迷光パターンＷ２Ａ及びＷ２Ｂに相当する部分が欠落しているため、当該迷光パターンＷ２０がかかる危険性はない。
【０２０５】
さらに受光部Ｄ１３は、受光領域Ｄ１３Ｃ及びＤ１３Ｄが互いに横方向に並べられているため、縦方向の幅が狭く抑えられている。これにより受光領域Ｄ１３Ｃ及びＤ１３Ｄは、迷光パターンＷ２Ｃ１、Ｗ２Ｃ２、Ｗ２Ｄ１及びＷ２Ｄ２がかからないようになされている。
【０２０６】
さらに光ピックアップ６７では、光ピックアップ７と同様、光検出器６９の取付位置を調整する際、受光部Ｄ３における検出結果を用いるようになされている。
【０２０７】
このように光検出器６９では、光検出器２１の場合と同様、他の記録層Ｙからの層間迷光ビームＬＮを回避し得るように、受光部Ｄ１２の受光領域Ｄ１２Ａ及びＤ１２Ｂ並びに受光部Ｄ１３の受光領域Ｄ１３Ａ及びＤ１３Ｂがそれぞれ配置されている。
【０２０８】
（２−４）フォーカス制御及びトラッキング制御
信号処理部６４は、信号処理部４と同様、上述した（１）式に従った演算を行うことにより、非点収差法によるフォーカスエラー信号ＳＦＥ１を算出し、これを駆動制御部３へ供給する。
【０２０９】
また信号処理部６４は、上述した（２）式又は（３）式に従った演算を行うことにより、ＤＰＤ法又は１ビームプッシュプル法に従ったトラッキングエラー信号ＳＴＥ１を算出し、これを駆動制御部３へ供給する。
【０２１０】
駆動制御部３は、フォーカスエラー信号ＳＦＥ１を基にフォーカス制御を行い、またトラッキングエラー信号ＳＴＥ１を基にトラッキング制御を行う。
【０２１１】
また信号処理部６４は、任意の係数ｊを用いた次の（５）式に従って再生ＲＦ信号ＳＲＦを算出するようになされている。
【０２１２】
【数５】
2010027098.tif 000007
【０２１３】
この再生ＲＦ信号ＳＲＦは、反射光ビームＬＲＰ０、ＬＲＳＡ及びＬＲＳＢの光量の合計値に相当すると共に、光ディスク１００に記録された信号を表している。その後信号処理部６４は、信号処理部４と同様、再生ＲＦ信号ＳＲＦに対し所定の復調処理や復号化処理等を施すことにより、光ディスク１００に記録されている情報を再生するようになされている。
【０２１４】
（２−５）動作及び効果
以上の構成において光ディスク装置６０の光ピックアップ６７は、光ビームＬ１を光ディスク１００へ照射し、当該光ディスク１００により反射されてなる反射光ビームＬＲを複合ホログラム素子６８の１／２波長板６８Ａに入射させる。
【０２１５】
１／２波長板６８Ａは、Ｓ偏光でなる反射光ビームＬＲのうち領域６８ＡＭを通過する部分の偏光方向をＰ偏光に変換して反射光ビームＬＲＰとすると共に、領域６８ＡＡ及び６８ＡＢを通過する部分をそのまま透過し反射光ビームＬＲＳＡ及びＬＲＳＢとして、ホログラム６８Ｂへ入射させる。
【０２１６】
ホログラム素子６８Ｂは、ブレーズドホログラムが形成された領域６８ＢＡ及び６８ＢＢにおいて、反射光ビームＬＲＳＡ及びＬＲＳＢをほぼ全て下方向へ回折させる。
【０２１７】
またホログラム素子６８Ｂは、バイナリ型ホログラムが形成された領域６８ＢＣ、６８ＢＤ及び６８ＢＥにおいて、Ｐ偏光でなる反射光ビームＬＲＰの一部を０次光としてほぼ直進させ反射光ビームＬＲＰ０とする。
【０２１８】
さらにホログラム素子６８Ｂは、領域６８ＢＣ及び６８ＢＤにおいて反射光ビームＬＲＰの一部を１次光でなる反射光ビームＬＲＰ１Ｃ及びＬＲＰ１Ｄとして右方向へ回折させ、領域６８ＢＥにおいて反射光ビームＬＲＰの一部を１次光でなる反射光ビームＬＲＰ１Ｅとして右下方向へ回折させる。
【０２１９】
ロションプリズム１７は、Ｓ偏光でなる反射光ビームＬＲＳＡ及びＬＲＳＢを下方向へ大きく屈折させると共に、Ｐ偏光でなる反射光ビームＬＲＰ０、ＬＲＰ１Ｃ、ＬＲＰ１Ｄ及びＬＲＰ１Ｅについてはそのまま透過する。
【０２２０】
これに応じて光検出器６９は、受光部Ｄ１の受光領域Ｄ１Ａ〜Ｄ１Ｄにより反射光ビームＬＲＰ０を受光し、受光信号Ｓ１Ａ〜Ｓ１Ｄを生成する。また光検出器６９は、受光部Ｄ１２の受光領域Ｄ１２Ａ及びＤ１２Ｂにより反射光ビームＬＲＳＡ及びＬＲＳＢをそれぞれ受光し、受光信号Ｓ２Ａ及びＳ２Ｂを生成する。
【０２２１】
さらに光検出器６９は、受光部Ｄ１３の受光領域Ｄ１３Ｃ及びＤ１３Ｄにより反射光ビームＬＲＰ１Ｃ及びＬＲＰ１Ｄをそれぞれ受光し、受光信号Ｓ２Ｃ及びＳ２Ｄを生成する。
【０２２２】
信号処理部６４は、１ビームプッシュプル法によるトラッキング制御を行う場合、（２）式に従ってトラッキングエラー信号ＳＴＥ１を算出し、これを駆動制御部３へ供給する。駆動制御部３は、トラッキングエラー信号ＳＴＥ１を基にトラッキング制御を行う。
【０２２３】
従って光ディスク装置６０の光ピックアップ６７は、光検出器６９により、迷光パターンＷ２を回避して反射光ビームＬＲＳＡ、ＬＲＳＢ、ＬＲＰ１Ｃ及びＬＲＰ１Ｄをそれぞれ受光することができ、受光信号Ｓ２Ａ〜Ｓ２Ｄを基に精度良くトラッキング制御を行うことができる。
【０２２４】
特に光ピックアップ６７では、反射光ビームＬＲＳＡ及びＬＲＳＢの偏光方向が他の反射光ビームＬＲＰ０及びＬＲＰ１Ｃ〜ＬＲＰ１Ｅと相違している。このため光ピックアップ６７は、ロションプリズム１７により、反射光ビームＬＲＳＡ及びＬＲＳＢのみを大きく屈折させて他の反射光ビームＬＲＰ０及びＬＲＰ１Ｃ〜ＬＲＰ１Ｅから引き離すことができる。
【０２２５】
また光検出器６９の受光部Ｄ１２は、受光領域Ｄ１２Ａ及びＤ１２Ｂが互いに縦方向に並べられているため、横方向の幅が狭く抑えられている。
【０２２６】
これにより光ピックアップ６７では、光ディスク１００における層間隔が狭く迷光パターンＷ２Ａ及びＷ２Ｂの間隔が狭い場合であっても、当該迷光パターンＷ２Ａ及びＷ２Ｂが受光領域Ｄ１２Ａ及びＤ１２Ｂにかかる危険性を格段に低減させることができる。
【０２２７】
一方受光部Ｄ１３は、受光部Ｄ１に比較的近接して設けられているものの、迷光パターンＷ２０において迷光パターンＷ２Ａ及びＷ２Ｂに相当する部分が欠落するため、当該迷光パターンＷ２０が受光領域Ｄ１３Ｃ及びＤ１３Ｄにかかることがない。
【０２２８】
さらに受光部Ｄ１３は、受光領域Ｄ１３Ｃ及びＤ１３Ｄが互いに横方向に並べられているため、縦方向の幅が狭く抑えられている。
【０２２９】
これにより光ピックアップ６７では、迷光パターンＷ２Ｃ１及びＷ２Ｃ２の間隔、並びに迷光パターンＷ２Ｄ１及びＷ２Ｄ２の間隔が狭まった場合であっても、これらの迷光パターンＷが受光領域Ｄ１３Ｃ及びＤ１３Ｄにかかる危険性を格段に低減させることができる。
【０２３０】
また光ピックアップ６７では、反射光ビームＬＲＰ０にプッシュプル成分が含まれていないため、受光信号Ｓ１Ａ〜Ｓ１Ｄからプッシュプル成分による影響を排除することができる。
【０２３１】
これにより光ディスク装置６０は、プッシュプル成分の漏れ込みによりフォーカスエラー信号ＳＦＥ１が変化してしまう、いわゆるフォーカスエラー信号へのトラッキングエラー信号の漏れ込みを格段に低減でき、安定したフォーカスエラー信号ＳＦＥ１を生成することができる。
【０２３２】
その他、光ディスク装置６０は、第１の実施の形態における光ディスク装置１と同様の作用効果を奏し得る。
【０２３３】
以上の構成によれば、光ディスク装置６０の光ピックアップ６７は、反射光ビームＬＲを複合ホログラム素子６８の１／２波長板６８ＡによりＰ偏光の反射光ビームＬＲＰとＳ偏光の反射光ビームＬＲＳＡ及びＬＲＳＢとに分離する。続いてホログラム素子６８Ｂは、反射光ビームＬＲＳＡ及びＬＲＳＢをほぼ全て下方向へ回折させ、０次光でなる反射光ビームＬＲＰ０をほぼ直進させ、１次光でなる反射光ビームＬＲＰ１Ｃ及びＬＲＰ１Ｄを右方向へ回折させ、１次光でなる反射光ビームＬＲＰ１Ｅを右下方向へ回折させる。さらにロションプリズム１７は、Ｓ偏光でなる反射光ビームＬＲＳＡ及びＬＲＳＢを下方向へ大きく屈折させると共に、Ｐ偏光でなる反射光ビームＬＲＰ０、ＬＲＰ１Ｃ、ＬＲＰ１Ｄ及びＬＲＰ１Ｅについてはそのまま透過する。このため光検出器６９は、検出部Ｄ１２及びＤ１３により、迷光パターンＷを回避しながら反射光ビームＬＲＳＡ及びＬＲＳＢ並びにＬＲＰ１Ｃ及びＬＲＰ１Ｄを受光して、受光信号Ｓ２Ａ〜Ｓ２Ｄを生成できる。この結果光ディスク装置６０は、迷光パターンＷの影響を受けることなくトラッキングエラー信号ＳＴＥ１を生成でき、精度良くトラッキング制御を行うことができる。
【０２３４】
（３）第３の実施の形態
（３−１）光ディスク装置の構成
第３の実施の形態による光ディスク装置７０は、第１の実施の形態による光ディスク装置１（図１）と比較して、信号処理部４及び光ピックアップ７に代えて、信号処理部７４及び光ピックアップ７７が設けられている点が異なっているものの、他は同様に構成されている。
【０２３５】
信号処理部７４は、信号処理部４と比較して、再生ＲＦ信号ＳＲＦの算出手法が相違するものの、フォーカスエラー信号ＳＦＥ１及びトラッキングエラー信号ＳＴＥ１の算出に関する部分等、他の点については同様に構成されている。
【０２３６】
（３−２）光ピックアップの構成
図２との対応部分に同一符号を付した図１８に示すように、光ピックアップ７７は、偏光ホログラム素子１８に代えて複合ホログラム素子７８が設けられ、光検出器２１に代えて光検出器７９が設けられている点が相違するものの、他は同様に構成されている。
【０２３７】
図３と対応する図１９に模式的に示すように、複合ホログラム素子７８は、偏光ホログラム素子１８に対応する偏光ホログラム７８Ａと他の偏光ホログラム７８Ｂとを一体に組み合わせたような構成を有している。
【０２３８】
偏光ホログラム７８Ａは、偏光ホログラム素子１８と同様、ロションプリズム１７により反射光ビームＬＲのＳ偏光成分が下方向へ大きく屈折されてなる反射光ビームＬＲＳと、反射光ビームＬＲのＰ偏光成分がロションプリズム１７を透過してなる反射光ビームＬＲＰとが入射される。
【０２３９】
この偏光ホログラム７８Ａは、図４と対応する図２０に示すように、偏光ホログラム素子１８と同様、領域１８Ａ〜１８Ｅとそれぞれ対応した領域７８ＡＡ〜７８ＡＥに分割されており、領域ごとに光ビームを回折させ得るようになされている。また各領域７８ＡＡ〜７８ＡＥには、ブレーズドホログラムが形成されている。
【０２４０】
さらに偏光ホログラム７８Ａは、偏光ホログラム素子１８と同様、Ｓ偏光成分でなる反射光ビームＬＲＳに対してのみ回折作用を呈し、Ｐ偏光成分でなる反射光ビームＬＲＰについては何ら作用せず透過させるようになされている。
【０２４１】
領域７８ＡＡは、領域１８Ａと同様、反射光ビームＬＲＳのうち、トラック溝回折光を含み、且つ当該光ディスク１００の内周側部分に相当する部分を反射光ビームＬＲＳＡとし、下方向へ回折させる。
【０２４２】
領域７８ＡＢは、領域１８Ｂと同様、反射光ビームＬＲＳのうち、トラック溝回折光を含み、且つ当該光ディスク１００の外周側部分に相当する部分を反射光ビームＬＲＳＢとし、下方向へ回折させる。
【０２４３】
このように偏光ホログラム７８Ａは、１次光でなる反射光ビームＬＲＳのうち、プッシュプル成分を含む部分を反射光ビームＬＲＳＡ及びＬＲＳＢとし、これらを下方向へそれぞれ大きく回折させるようになされている。
【０２４４】
また領域７８ＡＣ１及び７８ＡＣ２は、領域１８Ｃ１及び１８Ｃ２と同様、反射光ビームＬＲＳにおける、トラック溝回折光を殆ど含まず、且つ当該反射光ビームＬＲＳの中央部分を除いた領域（すなわち上側部分及び下側部分）のうち、当該光ディスク１００の内周側部分に相当する部分をそれぞれ反射光ビームＬＲＳＣ１及びＬＲＳＣ２とする。
【０２４５】
このとき領域７８ＡＣ１及び７８ＡＣ２は、反射光ビームＬＲＳＣ１及びＬＲＳＣ２をそれぞれほぼ下方向へ、反射光ビームＬＲＳＡよりも僅かに大きな回折角度で回折させる。
【０２４６】
領域７８ＡＤ１及び７８ＡＤ２は、領域１８Ｄ１及び１８Ｄ２と同様、反射光ビームＬＲＳにおける、トラック溝回折光を殆ど含まず、且つ当該反射光ビームＬＲＳの中央部分を除いた領域（すなわち上側部分及び下側部分）のうち、当該光ディスク１００の外周側部分に相当する部分をそれぞれ反射光ビームＬＲＳＤ１及びＬＲＳＤ２とする。
【０２４７】
このとき領域７８ＡＤ１及び７８ＡＤ２は、反射光ビームＬＲＳＤ１及びＬＲＳＤ２をそれぞれほぼ下方向へ、反射光ビームＬＲＳＢよりも僅かに大きな回折角度で回折させる。
【０２４８】
以下では、説明の便宜上、領域７８ＡＣ１及び７８ＡＣ２をまとめて領域７８ＡＣと呼び、反射光ビームＬＲＳＣ１及びＬＲＳＣ２をまとめて反射光ビームＬＲＳＣと呼ぶ。また、領域７８ＡＤ１及び７８ＡＤ２をまとめて領域７８ＡＤと呼び、反射光ビームＬＲＳＤ１及びＬＲＳＤ２をまとめて反射光ビームＬＲＳＤと呼ぶ。
【０２４９】
このように偏光ホログラム素子７８Ａは、反射光ビームＬＲＳのうち、プッシュプル成分を殆ど含まず、且つトラックの走行方向における前後部分を反射光ビームＬＲＳＣ及びＬＲＳＤとし、これらを下方向へそれぞれ大きく回折させるようになされている。
【０２５０】
さらに領域７８ＡＥは、反射光ビームＬＲＳを回折させて反射光ビームＬＲＳＥとし、これをほぼ左方向へ回折させる。
【０２５１】
このように偏光ホログラム７８Ａは、反射光ビームＬＲＳを領域ごとに設定された方向へ回折させることにより、反射光ビームＬＲＳＡ〜ＬＲＳＥに分割すると共に、反射光ビームＬＲＳＡ〜ＬＲＳＤを下方向へ、反射光ビームＬＲＳＥを左方向へ進行させるようになされている。
【０２５２】
偏光ホログラム７８Ｂは、図２１に示すように、全面に一様なバイナリ型のホログラムが形成されており、偏光ホログラム７８Ａと異なるＰ偏光の光ビームに対して回折作用を呈するようになされている。
【０２５３】
すなわち偏光ホログラム７８Ｂは、反射光ビームＬＲＰの一部を０次光でなる反射光ビームＬＲＰ０として直進させると共に、＋１次光及び−１次光をそれぞれ反射光ビームＬＲＰ＋１及びＬＲＰ−１として左方向及び右方向へ回折させる。
【０２５４】
因みに偏光ホログラム７８Ｂは、反射光ビームＬＲＰの大部分を±１次光として回折させ、その残りを０次光の反射光ビームＬＲＰ０として直進させるようになされている。
【０２５５】
光検出器７９は、図５と対応する図２２に示すように、複数の受光部Ｄ１、Ｄ２、Ｄ２１、Ｄ２２及びＤ２３が形成されている。受光部Ｄ１及びＤ２には、光検出器２１と同様に、それぞれ受光領域Ｄ１Ａ〜Ｄ１Ｄ、Ｄ２Ａ〜Ｄ２Ｄが設けられている。
【０２５６】
受光部Ｄ１は、受光領域Ｄ１Ａ〜Ｄ１Ｄにより反射光ビームＬＲＰ０を受光し、それぞれの受光量に応じた受光信号Ｓ１Ａ、Ｓ１Ｂ、Ｓ１Ｃ及びＳ１Ｄを生成して信号処理部７４（図１）へ送出するようになされている。
【０２５７】
受光部Ｄ２は、受光領域Ｄ２Ａ〜Ｄ２Ｄにより反射光ビームＬＲＳＡ〜ＬＲＳＤをそれぞれ受光し、それぞれの受光量に応じた受光信号Ｓ２Ａ〜Ｓ２Ｄを生成して信号処理部７４（図１）へ送出するようになされている。
【０２５８】
受光部Ｄ２３は、基準点Ｑを縦方向に通る仮想的な直線を対称軸として受光部Ｄ３（図５）と対称な箇所に設けられており、受光領域Ｄ３Ａ〜Ｄ３Ｄと対応する受光領域Ｄ２３Ａ、Ｄ２３Ｂ、Ｄ２３Ｃ及びＤ２３Ｄが設けられている。
【０２５９】
受光領域Ｄ２３Ａ、Ｄ２３Ｂ、Ｄ２３Ｃ及びＤ２３Ｄは、反射光ビームＬＲＳＥを受光し、それぞれの受光量に応じた受光信号Ｓ３Ａ、Ｓ３Ｂ、Ｓ３Ｃ及びＳ３Ｄを生成して、これらを信号処理部７４（図１）へ送出するようになされている。
【０２６０】
受光部Ｄ２１は、基準点Ｑの左側に配置され、単一の受光領域Ｄ２１Ａを有している。また受光部Ｄ２２は、基準点Ｑの右側における、受光部Ｄ２１と左右対称となる箇所に配置されており、単一の受光領域Ｄ２２Ａを有している。
【０２６１】
受光領域Ｄ２１Ａ及びＤ２２Ａは、それぞれ反射光ビームＬＲＰ＋１及びＬＲＰ−１を受光し、それぞれ受光信号Ｓ２１及びＳ２２を生成して信号処理部７４（図１）へ供給する。
【０２６２】
ここで、光ピックアップ７７において反射光ビームＬＲがロションプリズム１７により屈折され、また複合ホログラム素子７８の偏光ホログラム７８Ａ及び７８Ｂにより回折されると共に複数に分割された上で光検出器７９へ照射される様子を模式的に表すと、図６と対応する図２３のように表すことができる。
【０２６３】
このように光検出器７９は、受光部Ｄ１、Ｄ２、Ｄ２１、Ｄ２２及びＤ２３の各受光領域により反射光ビームＬＲＳＡ〜ＬＲＳＥ並びにＬＲＰ０、ＬＲＰ＋１及びＬＲＰ−１をそれぞれ受光し、それぞれの受光量に応じた受光信号をそれぞれ生成して信号処理部７４へ供給するようになされている。
【０２６４】
（３−３）迷光の照射と受光領域の配置
ところで第３の実施の形態では、図７と対応する図２４に示すように、光検出器７９に層間迷光ビームＬＮが照射されることにより、迷光パターンＷ３が形成される。
【０２６５】
この迷光パターンＷ３では、迷光パターンＷ１０、Ｗ１Ａ、Ｗ１Ｂ、Ｗ１Ｃ１、Ｗ１Ｃ２、Ｗ１Ｄ１及びＷ１Ｄ２と同様の迷光パターンＷ３Ｐ０、Ｗ３Ａ、Ｗ３Ｂ、Ｗ３Ｃ１、Ｗ３Ｃ２、Ｗ３Ｄ１及びＷ３Ｄ２が形成される。
【０２６６】
また迷光パターンＷ３では、迷光パターンＷ１Ｅとほぼ左右対称となる箇所に迷光パターンＷ３Ｅが形成される。
【０２６７】
さらに迷光パターンＷ３では、層間迷光ビームＬＮのうちホログラム７８Ｂにおいて±１次光として回折される部分により、迷光パターンＷ３Ｐ＋１、Ｗ３Ｐ−１がそれぞれ形成される。因みに迷光パターンＷ３では、偏光ホログラム７８Ｂにおいて±１次光の光量比が０次光よりも高いことから、迷光パターンＷ３Ｐ＋１及びＷ３Ｐ−１の光量が比較的強くなっている。
【０２６８】
ここで光検出器７９の受光部Ｄ２は、光検出器２１（図７）の場合と同様、迷光パターンＷ３Ｐ０を回避するべく、受光部Ｄ１からの距離ｕ３が大きくなるよう配置されており、さらに迷光パターンＷ３Ａ、Ｗ３Ｂ、Ｗ３Ｃ１、Ｗ３Ｃ２、Ｗ３Ｄ１、Ｗ３Ｄ２、Ｗ３Ｅ、Ｗ３Ｐ＋１及びＷ３Ｐ−１のいずれもがかからないよう配置されている。
【０２６９】
このとき光ピックアップ７７では、光ピックアップ７と同様、ロションプリズム１７による下方向への屈折角度が比較的大きいため、偏光ホログラム７８Ａによる下方向への回折角度がそれほど大きくないものの、反射光ビームＬＲＳＡ〜ＬＲＳＤを受光部Ｄ２の受光領域Ｄ２Ａ〜Ｄ２Ｄに確実に照射させることができる。
【０２７０】
また反射光ビームＬＲＰ＋１及びＬＲＰ−１は、バイナリ型の偏光ホログラム７８Ｂにより大きく左右に回折されており、迷光パターンＷ３Ｐ＋１及びＷ３Ｐ−１が受光部Ｄ１にかからないようになされている。このため、光検出器７９の領域Ｄ１Ａ〜Ｄ１Ｄは、迷光パターンＷ３Ｐ＋１及びＷ３Ｐ−１の影響を受けることなく反射光ビームＬＲＰ０を受光することができる。
【０２７１】
さらに光ピックアップ７７では、光ピックアップ７と同様、光検出器７９の取付位置を調整する際、受光部Ｄ３の検出結果に代えて受光部Ｄ２３における検出結果を用いるようになされている。
【０２７２】
このように光検出器７９の各受光領域は、対象記録層ＹＴ以外の他の記録層Ｙにより反射された層間迷光ビームＬＮによる迷光パターンＷを回避し得るように受光部Ｄ２が配置されている。
【０２７３】
（３−４）フォーカス制御及びトラッキング制御
信号処理部７４は、信号処理部４と同様、上述した（１）式に従った演算を行うことにより、非点収差法によるフォーカスエラー信号ＳＦＥ１を算出し、これを駆動制御部３へ供給する。
【０２７４】
また信号処理部７４は、上述した（２）式又は（３）式に従った演算を行うことにより、ＤＰＤ法又は１ビームプッシュプル法に従ったトラッキングエラー信号ＳＴＥ１を算出し、これを駆動制御部３へ供給する。
【０２７５】
駆動制御部３は、フォーカスエラー信号ＳＦＥ１を基にフォーカス制御を行い、またトラッキングエラー信号ＳＴＥ１を基にトラッキング制御を行う。
【０２７６】
また信号処理部７４は、次の（６）式に従って再生ＲＦ信号ＳＲＦを算出するようになされている。
【０２７７】
【数６】
2010027098.tif 000008
【０２７８】
この再生ＲＦ信号ＳＲＦは、反射光ビームＬＲＰ＋１及びＬＲＰ−１の光量の合計値に相当すると共に、光ディスク１００に記録された信号を表している。その後信号処理部７４は、信号処理部４と同様、再生ＲＦ信号ＳＲＦに対し所定の復調処理や復号化処理等を施すことにより、光ディスク１００に記録されている情報を再生するようになされている。
【０２７９】
（３−５）動作及び効果
以上の構成において光ディスク装置７０の光ピックアップ７７は、光ビームＬ１を光ディスク１００へ照射し、当該光ディスク１００により反射されてなる反射光ビームＬＲの偏光方向を１／２波長板１６によって回転させた上でロションプリズム１７へ入射させる。
【０２８０】
ロションプリズム１７は、反射光ビームＬＲのＰ偏光成分をそのまま透過して反射光ビームＬＲＰとし、Ｓ偏光成分を大きく屈折させて反射光ビームＬＲＳとして、偏光ホログラム素子１８へ入射させる。
【０２８１】
複合ホログラム素子７８の偏光ホログラム７８Ａは、Ｐ偏光でなる反射光ビームＬＲＰを透過してほぼ直進させると共に、領域７８ＡＡ〜７８ＡＥ（図２０）ごとに、Ｓ偏光でなる反射光ビームＬＲＳを回折させる。
【０２８２】
このとき偏光ホログラム７８Ａは、反射光ビームＬＲＳＡ〜ＬＲＳＤをそれぞれ下方向へ回折させ、反射光ビームＬＲＳＥを左方向へ回折させる。
【０２８３】
また複合ホログラム素子７８の偏光ホログラム７８Ｂは、Ｓ偏光でなる反射光ビームＬＲＳＡ〜ＬＲＳＥを透過すると共に、Ｐ偏光でなる反射光ビームＬＲＰを基に反射光ビームＬＲＰ０を直進させ、反射光ビームＬＲＰ＋１及びＬＲＰ−１をそれぞれ左右に回折させる。
【０２８４】
これに応じて光検出器７９は、受光部Ｄ１の受光領域Ｄ１Ａ〜Ｄ１Ｄにより反射光ビームＬＲＰ０を受光し、受光信号Ｓ１Ａ〜Ｓ１Ｄを生成する。また光検出器７９は、受光部Ｄ２の受光領域Ｄ２Ａ〜Ｄ２Ｄにより反射光ビームＬＲＳＡ〜ＬＲＳＤをそれぞれ受光し、受光信号Ｓ２Ａ〜Ｓ２Ｄを生成する。
【０２８５】
信号処理部７４は、１ビームプッシュプル法によるトラッキング制御を行う場合、（２）式従ってトラッキングエラー信号ＳＴＥ１を算出し、これを駆動制御部３へ供給する。駆動制御部３は、トラッキングエラー信号ＳＴＥ１を基にトラッキング制御を行う。
【０２８６】
従って光ディスク装置７０の光ピックアップ７７は、光検出器７９により、迷光パターンＷ３を回避して反射光ビームＬＲＳＡ〜ＬＲＳＤをそれぞれ受光することができ、受光信号Ｓ２Ａ〜Ｓ２Ｄを基に精度良くトラッキング制御を行うことができる。
【０２８７】
特に光ディスク装置７０は、信号処理部７４において、（６）式に示したように２つの受光信号Ｓ２１及びＳ２２を加算するだけで再生ＲＦ信号ＳＲＦを生成することができる。
【０２８８】
このため光ディスク装置７０は、信号処理部４において（４）式に従い４つの受光信号Ｓ１Ａ〜Ｓ１Ｄを加算して再生ＲＦ信号ＳＲＦを生成する場合よりも、各受光信号を増幅するためのアンプ回路によるアンプノイズの影響を低減することができる。
【０２８９】
その他、光ディスク装置７０は、第１の実施の形態における光ディスク装置１と同様の作用効果を奏し得る。
【０２９０】
以上の構成によれば、光ディスク装置７０の光ピックアップ７７は、反射光ビームＬＲの偏光方向を１／２波長板１６によって回転させ、ロションプリズム１７によりＰ偏光成分を反射光ビームＬＲＰとして直進させると共に、Ｓ偏光成分を反射光ビームＬＲＳとして下方向へ大きく屈折させる。また光ピックアップ７７は、複合ホログラム素子７８の偏光ホログラム７８Ａにより、反射光ビームＬＲＰを透過させると共に、反射光ビームＬＲＳを領域７８ＡＡ〜７８ＡＥごとに回折させ反射光ビームＬＲＳＡ〜ＬＲＳＥとする。さらに光ピックアップ７７は、複合ホログラム素子７８の偏光ホログラム７８Ｂにより、反射光ビームＬＲＳＡ〜ＳＥを透過させると共に、反射光ビームＬＲＰを回折させて反射光ビームＬＲＰ０、ＬＲＰ＋１及びＬＲＰ−１に分離する。これにより光ピックアップ７７の光検出器７９は、反射光ビームＬＲＰ０を検出する検出部Ｄ１から大きく離隔した検出部Ｄ２により、迷光パターンＷ３を回避しながら反射光ビームＬＲＳＡ〜ＬＲＳＤを受光して受光信号Ｓ２Ａ〜Ｓ２Ｄを生成することができる。この結果光ディスク装置７０は、迷光パターンＷ３の影響を受けることなくトラッキングエラー信号ＳＴＥ１を生成でき、精度良くトラッキング制御を行うことができる。
【０２９１】
（４）他の実施の形態
なお上述した第１の実施の形態においては、反射光ビームＬＲＳＡ〜ＬＲＳＤを下方向、へ屈折及び回折させるようにした場合について述べた。
【０２９２】
しかしながら本発明はこれに限らず、例えば上方向など、他の方向へ屈折及び回折させるようにしても良い。第３の実施の形態についても同様である。
【０２９３】
また上述した第２の実施の形態においては、反射光ビームＬＲＳＡ及びＬＲＳＢをいずれも下方向へ回折させるようにした場合について述べた。
【０２９４】
しかしながら本発明はこれに限らず、例えば反射光ビームＬＲＳＡ及びＬＲＳＢをそれぞれ上方向等の他の方向へ回折させるようにしても良い。この場合、光検出器６９において、反射光ビームＬＲＳＡ及びＬＲＳＢそれぞれが照射される箇所に受光領域Ｄ１２Ａ及びＤ１２Ｂをそれぞれ配置すれば良い。
【０２９５】
さらに上述した第２の実施の形態においては、反射光ビームＬＲＰ１Ｃ及びＬＲＰ１Ｄをいずれも右方向へ回折させるようにした場合について述べた。
【０２９６】
しかしながら本発明はこれに限らず、例えば反射光ビームＬＲＰ１Ｃ及びＬＲＰ１Ｄをいずれも左方向へ回折させ、或いは反射光ビームＬＲＰ１Ｃを左方向へ回折させると共に反射光ビームＬＲＰ１Ｄを右方向へそれぞれ回折させる等しても良い。この場合、光検出器６９において、反射光ビームＬＲＰ１Ｃ及びＬＲＰ１Ｄそれぞれが照射される箇所に受光領域Ｄ１３Ｃ及びＤ１３Ｄをそれぞれ配置すれば良い。
【０２９７】
さらに上述した第２の実施の形態においては、光検出器６９の受光部Ｄ１２において、受光領域Ｄ１２Ａ及びＤ１２Ｂを互いに縦方向に並べて配置するようにした場合について述べた。
【０２９８】
しかしながら本発明はこれに限らず、例えば迷光パターンＷ２Ａ及びＷ２Ｂ（図１７）の形成範囲に入らないよう配置可能な場合に、受光領域Ｄ１２Ａ及びＤ１２Ｂを互いに横方向や他の方向に並べて配置するようにしても良い。この場合、ホログラム６８Ｂの領域６８ＢＡ及び６８ＢＢにおける回折角度については、それぞれ適宜設定されていれば良い。
【０２９９】
さらに上述した第２の実施の形態においては、光検出器６９の受光部Ｄ１３において、受光領域Ｄ１３Ｃ及びＤ１３Ｄを互いに横方向に並べて配置するようにした場合について述べた。
【０３００】
しかしながら本発明はこれに限らず、例えば迷光パターンＷ２Ｃ１及びＷ２Ｃ２（図１７）の形成範囲に入らず、且つ迷光パターンＷ２Ｄ１及びＷ２Ｄ２の形成範囲に入らないよう配置可能な場合に、受光領域Ｄ１３Ｃ及びＤ１３Ｄを互いに縦方向や他の方向に並べて配置するようにしても良い。この場合、ホログラム素子６８Ｂの領域６８ＢＣ１及び６８ＢＣ２並びに領域６８ＢＤ１及び６８ＢＤ２における回折角度については、それぞれ適宜設定されていれば良い。
【０３０１】
さらに上述した第１の実施の形態においては、ロションプリズム１７により反射光ビームＬＲＳを大きく屈折させるようにした場合について述べた。
【０３０２】
しかしながら本発明はこれに限らず、例えばウォラストンプリズム等の他の複屈折性プリズムを用いるようにしても良く、要は光ビームの偏光方向に応じて光ビームを屈折させることにより、当該光ビームにおける所定の偏光方向成分の進行方向を大きく変化させ得れば良い。
【０３０３】
さらに上述した実施の第１の形態においては、ロションプリズム１７が反射光ビームＬＲのうちＳ偏光成分を屈折させるようにした場合について述べた。
【０３０４】
しかしながら本発明はこれに限らず、例えばロションプリズム１７が反射光ビームＬＲのうちＰ偏光成分を屈折させるようにしても良い。この場合、１／２波長板１６の取付角度等を適宜調整し、また偏光ホログラム素子１８がＰ偏光成分に対し回折作用を呈するようにすれば良い。第２及び第３の実施の形態についても同様である。
【０３０５】
また上述した第１の実施の形態においては、受光部Ｄ３の受光結果を基に、光検出器２１の取付角度等を調整するようにした場合について述べた。
【０３０６】
しかしながら本発明はこれに限らず、例えば光検出器２１の取付精度を確保し得ることが判明している場合に、受光信号Ｓ３Ａ〜Ｓ３Ｄを特に用いないようにし、或いは光検出器２１から受光部Ｄ３を省略しても良い。第２及び第３の実施の形態についても同様である。
【０３０７】
さらに上述した第１の実施の形態においては、コリメータレンズ１９の前段にロションプリズム１７及び偏光ホログラム素子１８を設けるようにした場合について述べた。
【０３０８】
本発明はこれに限らず、コリメータレンズ１９の後段にロションプリズム１７又は偏光ホログラム素子１８若しくはその両方を設けるようにしても良い。この場合、受光信号Ｓ３Ａ及びＳＢＣの和と、受光信号Ｓ３Ｃ及びＳ３Ｄの和がほぼ同等の信号レベルとなるよう、コリメータレンズ１９の後段に設けられた光学素子の位置を光軸方向に調整する。これにより本発明では、反射光ビームＬＲＳＡ〜ＬＲＳＥの各受光領域に対する照射位置を調整することができる。
【０３０９】
さらに上述した第１の実施の形態においては、光ディスク１００に２層の記録層Ｙが形成されているときに、光検出器２１の受光部Ｄ２に迷光パターンＷ１がかからないようにする場合ついて述べた。
【０３１０】
しかしながら本発明はこれに限らず、光ディスク１００に３層以上の記録層Ｙが形成されているときに、各記録層Ｙに起因した迷光パターンＷが光検出器２１の受光部Ｄ２にかからないようにしても良い。
【０３１１】
この場合、光検出器２１の受光部Ｄ２は、対象記録層ＹＴからの層間距離が最も遠い記録層Ｙによる層間迷光ビームＬＮ及び当該層間距離が最も近い記録層Ｙによる層間迷光ビームＬＮのいずれによる迷光パターンＷをも回避し得れば良い。
【０３１２】
さらに上述した第１の実施の形態においては、１／２波長板１６から光検出器２１までの間に、ロションプリズム１７、偏光ホログラム素子１８、コリメータレンズ１９及びシリンドリカルレンズ２０の順序で各光学素子を配置するようにした場合について述べた。
【０３１３】
しかしながら本発明はこれに限らず、例えばロションプリズム１７、コリメータレンズ１９、偏光ホログラム素子１８及びシリンドリカルレンズ２０の順序で配置する等、これらの光学素子を種々の順序で配置するようにしても良い。また第２の実施の形態では、例えばコリメータレンズ１９、複合ホログラム素子６８、ロションプリズム１７及びシリンドリカルレンズ２０の順序で配置する等しても良い。第３の実施の形態についても同様である。
【０３１４】
さらに上述した第１の実施の形態においては、コリメータレンズ１９とシリンドリカルレンズ２０とをそれぞれ別個に設けるようにした場合について述べた。
【０３１５】
しかしながら本発明はこれに限らず、例えばコリメータレンズ１９及びシリンドリカルレンズ２０の機能を組み合わせたアナモルフィックレンズを用いる等しても良い。第２及び第３の実施の形態についても同様である。
【０３１６】
さらに上述した第１の実施の形態においては、光ディスク装置１が光ディスク１００への情報の記録処理を行い得ると共に、当該光ディスク１００からの情報の再生処理も行い得るようにした場合について述べた。
【０３１７】
しかしながら本発明はこれに限らず、例えば光ディスク装置１が光ディスク１００からの情報の再生処理のみを行い得るようにしても良い。第２及び第３の実施の形態についても同様である。
【０３１８】
さらに上述した第１の実施の形態においては、図５〜図７に示したように、反射光ビームＬＲＳＡ〜ＬＲＳＥがほぼ点状になるよう光検出器２１上に照射されるようにした場合について述べた。
【０３１９】
しかしながら本発明はこれに限らず、例えば偏光ホログラム素子１８及びコリメータレンズ１９の作用により反射光ビームＬＲＳＡ〜ＬＲＳＥが光検出器２１上においてある程度の面積を有するように集光されるようにしても良い。
【０３２０】
さらに上述した実施の形態においては、光ディスク装置１がＢＤ方式の光ディスク１００に対応するようにした場合について述べた。
【０３２１】
しかしながら本発明はこれに限らず、例えばＤＶＤ方式やＣＤ方式等、他の種々の方式に準拠した光ディスク１００に対応するようにしても良い。
【０３２２】
さらに上述した実施の形態においては、光源としてのレーザダイオード１１と、対物レンズとしての対物レンズ８と、レンズ移動部としての２軸アクチュエータ９と、回折部としての偏光ホログラム素子１８と、偏光屈折部としてのロションプリズム１７と、集光レンズとしてのコリメータレンズ１９と、光検出器としての光検出器２１とによって光ピックアップとしての光ピックアップ７を構成する場合について述べた。
【０３２３】
しかしながら本発明はこれに限らず、その他種々の回路構成でなる光源と、対物レンズと、レンズ移動部と、回折部と、偏光屈折部と、集光レンズと、光検出器とによって光ピックアップを構成するようにしても良い。
【０３２４】
さらに上述した実施の形態においては、光源としてのレーザダイオード１１と、対物レンズとしての対物レンズ８と、レンズ移動部としての２軸アクチュエータ９と、回折部としての偏光ホログラム素子１８と、偏光屈折部としてのロションプリズム１７と、集光レンズとしてのコリメータレンズ１９と、光検出器としての光検出器２１と、信号処理部としての信号処理部４と、駆動制御部としての駆動制御部３とによって光ディスク装置としての光ディスク装置１を構成する場合について述べた。
【０３２５】
しかしながら本発明はこれに限らず、その他種々の回路構成でなる光源と、対物レンズと、レンズ移動部と、回折部と、偏光屈折部と、集光レンズと、光検出器と、信号処理部と、駆動制御部とによって光ディスク装置を構成するようにしても良い。
【産業上の利用可能性】
【０３２６】
本発明は、映像や音声或いは種々のデータ等の情報を光ディスクに記録し、また当該光ディスクから当該情報を再生する光ディスク装置でも利用できる。
【図面の簡単な説明】
【０３２７】
【図１】第１の実施の形態による光ディスク装置の構成を示す略線図である。
【図２】第１の実施の形態による光ピックアップの構成を示す略線図である。
【図３】第１の実施の形態による光学素子の配置の説明に供する略線図である。
【図４】第１の実施の形態による偏光ホログラム素子の構成を示す略線図である。
【図５】第１の実施の形態による光検出器の構成を示す略線図である。
【図６】第１の実施の形態による光ビームの分離の様子を示す略線的斜視図である。
【図７】第１の実施の形態による迷光パターンの形成を示す略線図である。
【図８】他の光ピックアップの構成（１）を示す略線図である。
【図９】他の光ピックアップの構成（２）を示す略線図である。
【図１０】他の光ピックアップの構成（３）を示す略線図である。
【図１１】第２の実施の形態による光ピックアップの構成を示す略線図である。
【図１２】第２の実施の形態による光学素子の配置の説明に供する略線図である。
【図１３】第２の実施の形態による１／２波長板の構成を示す略線図である。
【図１４】第２の実施の形態によるホログラムの構成を示す略線図である。
【図１５】第２の実施の形態による光検出器の構成を示す略線図である。
【図１６】第２の実施の形態による光ビームの分離の様子を示す略線的斜視図である。
【図１７】第２の実施の形態による迷光パターンの形成を示す略線図である。
【図１８】第３の実施の形態による光ピックアップの構成を示す略線図である。
【図１９】第３の実施の形態による光学素子の配置の説明に供する略線図である。
【図２０】第３の実施の形態による偏光ホログラムの構成（１）を示す略線図である。
【図２１】第３の実施の形態による偏光ホログラムの構成（２）を示す略線図である。
【図２２】第３の実施の形態による光検出器の構成を示す略線図である。
【図２３】第３の実施の形態による光ビームの分離の様子を示す略線的斜視図である。
【図２４】第３の実施の形態による迷光パターンの形成を示す略線図である。
【符号の説明】
【０３２８】
１、６０、７０……光ディスク装置、２……統括制御部、３……駆動制御部、４、６４、７４……信号処理部、７、３０、４０、５０、６７、７７……光ピックアップ、８……対物レンズ、９……２軸アクチュエータ、１１……レーザダイオード、１６……１／２波長板、１７……ロションプリズム、１８、７８……偏光ホログラム素子、１８Ａ、１８Ｂ、１８Ｃ１、１８Ｃ２、１８Ｄ１、１８Ｄ２、１８Ｅ、６８ＡＡ、６８ＡＢ、６８ＡＭ、、６８ＢＣ１、６８ＢＣ２、６８ＢＤ１、６８ＢＤ２、６８ＢＥ、７８ＡＡ、７８ＡＢ、７８ＡＣ１、７８ＡＣ２、７８ＡＤ１、７８ＡＤ２、７８ＡＥ……領域、１９……コリメータレンズ、２０……シリンドリカルレンズ、２１、６９、７９……光検出器、Ｄ１、Ｄ２、Ｄ３、Ｄ１２、Ｄ１３、Ｄ２１、Ｄ２２、Ｄ２３……受光部、Ｄ１Ａ、Ｄ１Ｂ、Ｄ１Ｃ、Ｄ１Ｄ、Ｄ２Ａ、Ｄ２Ｂ、Ｄ２Ｃ、Ｄ２Ｄ、Ｄ１２Ａ、Ｄ１２Ｂ、Ｄ１３Ｃ、Ｄ１３Ｄ、Ｄ２１Ａ、Ｄ２２Ａ……受光領域、６８……複合ホログラム素子、６８Ａ……１／２波長板、６８Ｂ……ホログラム、１００……光ディスク、Ｙ……記録層、ＹＴ……対象記録層、Ｌ１……光ビーム、ＬＲ、ＬＲＰ、ＬＲＰ０、ＬＲＰ＋１、ＬＲＰ−１、ＬＲＳ、ＬＲＳＡ、ＬＲＳＢ、ＬＲＳＣ、ＬＲＳＤ、ＬＲＳＥ……反射光ビーム、Ｓ１Ａ、Ｓ１Ｂ、Ｓ１Ｃ、Ｓ１Ｄ、Ｓ２Ａ、Ｓ２Ｂ、Ｓ２Ｃ、Ｓ２Ｄ、Ｓ２１、Ｓ２２……受光信号。
【図１】
2010027098.tif 000009
【図２】
2010027098.tif 000010
【図３】
2010027098.tif 000011
【図４】
2010027098.tif 000012
【図５】
2010027098.tif 000013
【図６】
2010027098.tif 000014
【図７】
2010027098.tif 000015
【図８】
2010027098.tif 000016
【図９】
2010027098.tif 000017
【図１０】
2010027098.tif 000018
【図１１】
2010027098.tif 000019
【図１２】
2010027098.tif 000020
【図１３】
2010027098.tif 000021
【図１４】
2010027098.tif 000022
【図１５】
2010027098.tif 000023
【図１６】
2010027098.tif 000024
【図１７】
2010027098.tif 000025
【図１８】
2010027098.tif 000026
【図１９】
2010027098.tif 000027
【図２０】
2010027098.tif 000028
【図２１】
2010027098.tif 000029
【図２２】
2010027098.tif 000030
【図２３】
2010027098.tif 000031
【図２４】
2010027098.tif 000032